(57)【要約】【課題】高性能で小型な斜視対物光学系及びそれを備えた斜視用内視鏡を提供すること。【解決手段】斜視対物光学系は、物体側から順に、負の屈折力を有する前側レンズ群と、光路変換素子と、明るさ絞りと、正の屈折力を有する後側レンズ群と、からなり、前側レンズ群は前側負レンズからなり、後側レンズ群は、後側正レンズと、正の屈折力を有する接合レンズと、からなり、以下の条件式（１）を満足する。  ４．０＜ｆ２／ｆ＜１２．０      （１）  ここで、  ｆ２は、後側正レンズの焦点距離、  ｆは、斜視対物光学系全系の焦点距離、である。【選択図】図３
2019008024.tif 000002
【特許請求の範囲】
【請求項１】
物体側から順に、負の屈折力を有する前側レンズ群と、光路変換素子と、明るさ絞りと、正の屈折力を有する後側レンズ群と、からなり、
前記前側レンズ群は前側負レンズからなり、
前記後側レンズ群は、後側正レンズと、正の屈折力を有する接合レンズと、からなり、
以下の条件式（１）を満足することを特徴とする斜視対物光学系。
４．０＜ｆ２／ｆ＜１２．０      （１）
ただし、
ｆ２は、前記後側正レンズの焦点距離、
ｆは、前記斜視対物光学系全系の焦点距離、
である。
【請求項２】
請求項１に記載の斜視対物光学系を備えることを特徴とする斜視用内視鏡。
【発明の詳細な説明】
【技術分野】
【０００１】
本発明は、光路変換素子を具備した斜視対物光学系及びそれを備えた斜視用内視鏡に関するものである。
【背景技術】
【０００２】
近年、ＣＣＤ（Charge  Coupled  Devices）やＣ−ＭＯＳ（Complementary  Metal  Oxide  Semiconductor）等の撮像素子では、微細化技術の進歩によって、画素の微細化と素子自体の小型化が進んでいる。特に最近では、非常に微細な画素を持つ撮像素子、例えば、画素ピッチが約１〜２μｍという撮像素子が製造されてきている。このように、近年の撮像素子は、以前に比べて更なる多画素で小型になってきている。
【０００３】
また、対物光学系のレンズ外径や全長を小型化すると、対物光学系から出射する光線を、撮像素子の受光面に対して、垂直に入射させることが困難になる。この場合、光線は受光面に対して斜めに入射する（以下、斜入射という）。このため、近年のＣＣＤやＣ−ＭＯＳ等の撮像素子は、受光面への最適な光線の入射が斜入射であることを前提として設計されている。このように、近年の撮像素子は斜入射特性を有している。
【０００４】
多画素で小型な撮像素子を内視鏡に用いることで、画像の高画質化と内視鏡の細径化が可能になる。それに伴って、内視鏡用の対物光学系には、高性能で小型の対物光学系が求められることになる。高性能な光学系とは、例えば、分解能が高く、収差が良好に補正されている光学系である。
【０００５】
画素ピッチが約１μｍ近くまで小さくなると、光学系のＦナンバーが大きい場合には、回折の影響を受けて光学性能が低下してしまう。そのため、画素ピッチの小さい撮像素子に使用する光学系は、Ｆナンバーが小さい光学系でなければならない。しかし、Ｆナンバーが小さくなると、光学系を通過する光束の径が太くなる。そのため、Ｆナンバーを小さくすると、収差補正を良好に行うことが難しくなる。
【０００６】
画素ピッチの小さい撮像素子に使用する光学系では、画素ピッチの狭小化に合わせて、各収差について、その発生量が非常に小さくなるように補正されていなければならない。例えば横収差量で言えば、収差量は画素ピッチの数倍レベル、すなわち数μｍ程度、あるいは精々１０μｍ以下にしておかなければならない。
【０００７】
このようなレベルまで光学系の収差を良好に補正しようとすると、光学系のレンズ枚数が多くなってしまう。ところが、レンズ枚数をやたら増やすと、光学系全長が長くなってしまう。更に、光学系全長が長くなると、レンズを通過する光線の高さも高くなるため、レンズ外径も大型化してしまう。内視鏡では、小型の光学系が要求される。そのため、レンズ枚数の増加を極力抑えながら、内視鏡に適用できるサイズと高い結像性能が確保されているように、対物光学系を構成しなければならない。
【０００８】
また、内視鏡用の対物光学系の一つに、斜視対物光学系がある。斜視対物光学系では、前方視、側方視又は後方視が行われる。
【０００９】
図１は、従来の斜視対物光学系の例である。斜視対物光学系１は、側方視を行う斜視対物光学系である。斜視対物光学系１は、前側レンズ群２、プリズム３及び後側レンズ群４で構成されている。斜視対物光学系１では、プリズム３によって、前側レンズ群２の光軸と後側レンズ群４の光軸とが直交した状態になっている。
【００１０】
図２は、従来の斜視対物光学系の別の例である。斜視対物光学系５は、前方視を行う斜視対物光学系である。斜視対物光学系５は、前側レンズ群６、プリズム７及び後側レンズ群８で構成されている。斜視対物光学系５では、プリズム７によって、前側レンズ群６の光軸と後側レンズ群８の光軸とが交差した状態になっている。ただし、２つの光軸は直交した状態にはなっていない。
【００１１】
図１や図２に示すように、斜視対物光学系では、大きな硝路長の光路変換素子が光学系中に配置される。そのため、特に斜視対物光学系では、光路変換素子、例えばプリズムを配置するための大きなスペースが必要となる。その結果、斜視対物光学系では、直視の対物光学系に比べて光学系の全長が長くなる。このように、斜視対物光学系は、直視の対物光学系に比べて大型になる傾向があるため、斜視対物光学系には一層の小型化が要求される。
【００１２】
特許文献１から６には、斜視対物光学系が開示されている。
【００１３】
特許文献１に開示された斜視対物光学系は、前群発散レンズ系と、後群収斂レンズ系と、で構成されている。この斜視対物光学系は、イメージファイバーに用いられることを前提とした光学系である。そのため、これらの対物光学系では、対物光学系から出射する光線を、ファイバーの入射端端面に対してほぼ垂直に入射できるようにしている。
【００１４】
特許文献２に開示された斜視対物光学系は、１枚の負レンズからなる第１レンズ群と、正の屈折力を有する第２レンズ群と、で構成されている。この斜視対物光学系では、色収差補正のために、第１レンズ群の負レンズとプリズムに、分散が小さい硝材（アッベ数が大きい硝材）が用いられている。
【００１５】
特許文献３に開示された斜視対物光学系は、負の焦点距離を有する前群と、正の焦点距離を有する後群と、で構成されている。
【００１６】
特許文献４に開示された斜視対物光学系は、負の屈折力の単レンズからなる第１レンズ群と、正の屈折力を有する第２レンズ群と、正の屈折力を有する第３レンズ群と、で構成されている。
【００１７】
この斜視対物光学系では、第３レンズ群を、物体側から順に、負レンズと正レンズとからなる接合レンズで構成している。このようにすることで、テレセントリック性を確保している。すなわち、特許文献４に開示された斜視対物光学系では、斜視対物光学系から出射する光線を、撮像素子の受光面に対してほぼ垂直に入射できるようにしている。
【００１８】
特許文献５に開示された斜視対物光学系は、負の第１群と、正の第２群と、から構成されている。
【００１９】
特許文献６に開示された斜視対物光学系は、負レンズからなる前側レンズ群と、光路変換素子と、明るさ絞りと、正の屈折力を有する後側レンズ群と、から構成されている。後側レンズ群は、正レンズと、正の屈折力を有する接合レンズと、からなる。
【先行技術文献】
【特許文献】
【００２０】
【特許文献１】特開昭５１−６２０５３号公報
【特許文献２】特許３３８５０９０号公報
【特許文献３】特許３５７４４８４号公報
【特許文献４】特許４４３９１８４号公報
【特許文献５】特許４８１４７４６号公報
【特許文献６】特許６００１２２７号公報
【発明の概要】
【発明が解決しようとする課題】
【００２１】
特許文献１に開示された斜視対物光学系では、光学系全体が大きく、また、光学性能も不十分である。
【００２２】
そのため、特許文献１に開示された斜視対物光学系や直視対物光学系を、多画素で小型なＣＣＤ等の撮像素子への適用が可能な斜視対物光学系、すなわち、高性能化と小型化に対応した斜視対物光学系に適用することはできない。
【００２３】
特許文献２に開示された斜視対物光学系では、色収差補正のために、第１レンズ群の負レンズとプリズムの各々に、低屈折率の硝材が用いられている。この場合、特に、明るさ絞りよりも物体側の空気換算長が長くなる。その結果、負レンズの外径やプリズムの外径が大きくなってしまう。さらに、Ｆナンバーも大きいので、画素ピッチの小さな撮像素子に用いるには、光学性能が不足している。
【００２４】
そのため、特許文献２に開示された斜視対物光学系を、高性能化と小型化に対応した斜視対物光学系へ適用することはできない。
【００２５】
特許文献３に開示された斜視対物光学系では、バックフォーカスが長いため光学系全体が大きい。
【００２６】
また、前群における負レンズの焦点距離が小さいので、前群の負の屈折力が大きい。一方、後群では、長いバックフォーカスを確保するために、接合レンズの焦点距離が長くなっている。そのため、後群の正の屈折力が小さい。２つのレンズ群で構成されている光学系の場合、負屈折力と正屈折力とのバランスが崩れると、諸収差が大きく発生する。このように、特許文献３に開示された斜視対物光学系では、光学系全体での屈折力のバランスが悪いため、光学性能が十分ではない。
【００２７】
そのため、特許文献３に開示された斜視対物光学系を、高性能化と小型化に対応した斜視対物光学系へ適用することはできない。
【００２８】
特許文献４に開示された斜視対物光学系では、テレセントリック性が確保されている。しかしながら、近年の撮像素子は斜入射特性を有しているので、光学系においてテレセントリック性が確保されている必要が無い。特許文献４に開示された斜視対物光学系では、斜視対物光学系から出射する光線の角度は、撮像素子の斜入射特性を満足する角度からむしろ乖離してしまう。その結果、画像の周辺部に、明るさのムラや色のムラが生じてしまう。
【００２９】
そのため、特許文献４に開示された斜視対物光学系を、高性能化と小型化に対応した斜視対物光学系へ適用することはできない。
【００３０】
特許文献５に開示された斜視対物光学系では、フィルタ類を配置するために、光学系の全長とバックフォーカスとが長くなっている。そのため光学系全体が大きい。
【００３１】
また、画角が大きいので、第１群の焦点距離が小さくなっている（第１群の負の屈折力が大きくなっている）。一方、上述のように、光学系の全長とバックフォーカスが長いので、第２群の焦点距離が長くなっている（第２群の正の屈折力が小さくなっている）。２つのレンズ群で構成されている光学系の場合、負屈折力と正屈折力とのバランスが崩れると、像面湾曲及び非点収差が発生してしまう。さらに、特許文献５に開示された斜視対物光学系では、像高が高いので、第２群のレンズの外径も大きくなっている。
【００３２】
そのため、特許文献５に開示された斜視対物光学系を、高性能化と小型化に対応した斜視対物光学系へ適用することはできない。
【００３３】
特許文献６に開示された斜視対物光学系は、Ｆナンバーが３．６程度の光学系である。特許文献６に開示された各実施例の斜視対物光学系では、全体的にＦナンバーが大きいため、撮像素子の画素の微細化に伴う回折の影響を受けやすい。よって、特許文献６に開示された斜視対物光学系を、画素ピッチの小さい撮像素子と共に使用することは困難である。
【００３４】
また、撮像素子の小型化に伴って、対物光学系の像高も小さくなる。特許文献６に開示された斜視対物光学系では、像高が小さくなると光学系の画角は小さくなってしまう。また、内視鏡の場合はより広い範囲を観察したいという要望があるが、特許文献６に開示された斜視対物光学系では、観察範囲の広角化は成し得ない。
【００３５】
そのため、特許文献６に開示された斜視対物光学系を、高性能化と小型化に対応した斜視対物光学系へ適用することはできない。
【００３６】
以上のように、特許文献１から６に開示された対物光学系では、高性能化と小型化に対応した斜視対物光学系を実現することは難しい。
【００３７】
本発明は、このような問題点に鑑みてなされたものであり、高性能で小型な斜視対物光学系を提供することを目的とする。また、高画質の画像が得られると共に、細径化された先端部を有する斜視用内視鏡を提供する。
【課題を解決するための手段】
【００３８】
上述した課題を解決し、目的を達成するために、本発明の斜視対物光学系は、
物体側から順に、負の屈折力を有する前側レンズ群と、光路変換素子と、明るさ絞りと、正の屈折力を有する後側レンズ群と、からなり、
前側レンズ群は前側負レンズからなり、
後側レンズ群は、後側正レンズと、正の屈折力を有する接合レンズと、からなり、
以下の条件式（１）を満足することを特徴とする。
４．０＜ｆ２／ｆ＜１２．０      （１）
ここで、
ｆ２は、後側正レンズの焦点距離、
ｆは、斜視対物光学系全系の焦点距離、
である。
【００３９】
また、本発明の斜視用内視鏡は、上記の斜視対物光学系を備えることを特徴とする。
【発明の効果】
【００４０】
本発明によれば、高性能で小型な斜視対物光学系を実現することができる。また、高画質の画像が得られると共に、細径化された先端部を有する斜視用内視鏡を提供することができる。
【図面の簡単な説明】
【００４１】
【図１】従来の斜視対物光学系を示す図である。
【図２】従来の別の斜視対物光学系を示す図である。
【図３】本実施形態の斜視対物光学系の断面構成を示す図である。
【図４】プリズムを示す図である。
【図５】実施例１に係る斜視対物光学系の断面構成を示す図と収差図である。
【図６】実施例２に係る斜視対物光学系の断面構成を示す図と収差図である。
【図７】実施例３に係る斜視対物光学系の断面構成を示す図と収差図である。
【図８】実施例４に係る斜視対物光学系の断面構成を示す図と収差図である。
【図９】実施例５に係る斜視対物光学系の断面構成を示す図と収差図である。
【図１０】実施例６に係る斜視対物光学系の断面構成を示す図と収差図である。
【図１１】実施例７に係る斜視対物光学系の断面構成を示す図と収差図である。
【図１２】実施例８に係る斜視対物光学系の断面構成を示す図と収差図である。
【図１３】実施例９に係る斜視対物光学系の断面構成を示す図と収差図である。
【図１４】実施例１０に係る斜視対物光学系の断面構成を示す図と収差図である。
【図１５】実施例１１に係る斜視対物光学系の断面構成を示す図と収差図である。
【図１６】実施例１２に係る斜視対物光学系の断面構成を示す図と収差図である。
【図１７】実施例１３に係る斜視対物光学系の断面構成を示す図と収差図である。
【図１８】実施例１４に係る斜視対物光学系の断面構成を示す図と収差図である。
【図１９】実施例１５に係る斜視対物光学系の断面構成を示す図と収差図である。
【図２０】実施例１６に係る斜視対物光学系の断面構成を示す図と収差図である。
【図２１】実施例１７に係る斜視対物光学系の断面構成を示す図と収差図である。
【図２２】実施例１８に係る斜視対物光学系の断面構成を示す図と収差図である。
【図２３】実施例１９に係る斜視対物光学系の断面構成を示す図と収差図である。
【図２４】内視鏡装置の構成を示す図である。
【発明を実施するための形態】
【００４２】
以下、本実施形態に係る斜視対物光学系及びそれを備えた斜視用内視鏡について、図面を用いて、このような構成をとった理由と作用を説明する。なお、以下の実施形態に係る斜視対物光学系及びそれを備えた斜視用内視鏡によりこの発明が限定されるものではない。
【００４３】
本実施形態の斜視対物光学系は、物体側から順に、負の屈折力を有する前側レンズ群と、光路変換素子と、明るさ絞りと、正の屈折力を有する後側レンズ群と、からなり、前側レンズ群は前側負レンズからなり、後側レンズ群は、後側正レンズと、正の屈折力を有する接合レンズと、からなる。
【００４４】
明るさ絞りの近傍、すなわち、明るさ絞りの物体側又は明るさ絞りの像側に光路変換素子を配置することで、光路変換素子における光線高を低く抑えることができる。その結果、光路変換素子のサイズを小さくできる。
【００４５】
しかしながら、明るさ絞りよりも像側に光路変換素子を配置すると、明るさ絞りから像面までの距離は、少なくとも光路変換素子の硝路長以上に長くなってしまう。そうすると、斜視対物光学系から出射する光線は、撮像素子の受光面に対してほぼ垂直になる。そのため、斜視対物光学系から出射する光線の角度は、撮像素子の斜入射特性を満足する角度にならない。その結果、画像の周辺部に、明るさのムラや色のムラが発生してしまう。
【００４６】
また、斜視対物光学系の組立てでは、ピント調整を行う。そのため、無理に撮像素子の斜入射特性を満足させようとすると、ピント調整に必要な間隔が不足する。また、斜入射特性に合わせて無理に光線を曲げることになるので、収差が発生してしまう。その結果、著しく光学性能が低下してしまう。
【００４７】
そこで、本実施形態に係る斜視対物光学系では、明るさ絞りよりも物体側に光路変換素子を配置している。これにより、明るさ絞りから像面までの距離を短くできるので、斜視対物光学系から出射する光線の角度を、撮像素子の斜入射特性を満足する角度にすることが、比較的容易に行える。
【００４８】
更に、明るさ絞りよりも物体側に光路変換素子を配置することで、明るさ絞りよりも物体側では硝路長が長くなる。そのため、前側レンズ群を保持する枠部材の長さを、適切に確保することができる。その結果、斜視対物光学系の組立てや、斜視対物光学系の内視鏡先端部への取り付けを、高精度で容易に行うことができる。
【００４９】
また、広範囲の観察のためには、光学系を広角化する必要がある。広角化を行うと、主に、最も物体側に位置する負レンズの屈折力が大きくなる。この負レンズは、像側に凹面を向けた平凹レンズや像側に凹面を向けたメニスカスレンズで構成される。
【００５０】
この負レンズの屈折力が大きくなると、平凹レンズの像側面の曲率半径や、メニスカスレンズの像側面の曲率半径が小さくなる。この曲率半径があまり小さくなると、レンズの加工性が悪くなる。
【００５１】
また、平凹レンズやメニスカスレンズは、対物枠で保持される。この場合、加工誤差による偏心や組み立て誤差による偏心が、対物枠とレンズとの間に生じる。レンズの屈折力が大きくなると、レンズの偏心によって光学性能が著しく低下してしまう。
【００５２】
レンズの偏心による光学性能の低下を小さくするには、レンズの加工精度や対物枠の加工精度を今まで以上に厳しくすれば良い。しかしながら、加工精度を高くしてレンズの偏心量を抑えることは、部品の加工性がかなり悪くなるし、部品精度を上げてレンズと枠の外径クリアランスがなくなると、枠内にレンズが入りにくくなって組立作業性も悪くなる。
【００５３】
特に撮像素子の画素ピッチが小さくなると、レンズの偏心による光学性能の劣化も顕著になる。そのため、レンズの偏心による光学性能への影響が少なくなるように、光学系を構成することが必要になる。
【００５４】
本実施形態の斜視対物光学系でも、光学系の広角化のために、物体側に前側負レンズが配置されている。ただし、前側負レンズと明るさ絞りとの間に、光路変換素子が配置されている。そのため、前側負レンズと明るさ絞りとの間隔を広くすることができる。
【００５５】
前側負レンズと明るさ絞りとの間隔を広げて、両者を離すと、前側負レンズでの光線高が高くなるため、前側負レンズの径はやや大きくなる。しかしながら、両者を離すことで、前側負レンズの屈折力の増大を抑えることができる。このように、本実施形態の斜視対物光学系では、前側負レンズの屈折力の増大が抑えられるので、レンズの偏心による光学性能の低下を小さくすることができる。
【００５６】
接合レンズは、物体側から順に、正レンズと負レンズとで構成されていることが望ましい。このようにすることで、斜視対物光学系を小型化することができる。また、斜視対物光学系から出射する光線の角度を、撮像素子の斜入射特性を満足する角度にすることができる。
【００５７】
接合レンズを、物体側から順に、負レンズと正レンズとで構成すると、接合レンズにおける光線高が高くなってしまうので、レンズの外径が大きくなる。そのため、レンズの加工性が悪くなる。また、斜視対物光学系全体としても外径が大きくなってしまう。
【００５８】
更に、像側に配置した正レンズの作用によって光線が曲げられるため、斜視対物光学系から出射する光線が、撮像素子の受光面に対してほぼ垂直になる。その結果、斜視対物光学系から出射する光線の角度を、撮像素子の斜入射特性を満足する角度にすることが難しくなる。無理に斜入射特性を満足する角度にしようとすると、接合レンズ面で光線が大きく曲げられるので収差が発生する。そのため、光学性能が劣化してしまう。
【００５９】
本実施形態の斜視対物光学系は、以下の条件式（１）を満足する。
４．０＜ｆ２／ｆ＜１２．０      （１）
ここで、
ｆ２は、後側正レンズの焦点距離、
ｆは、斜視対物光学系全系の焦点距離、
である。
【００６０】
条件式（１）は、後側正レンズの焦点距離を規定した条件式である。
【００６１】
条件式（１）の下限値を下回ると、後側正レンズの焦点距離が小さくなり過ぎる。この場合、像位置が後群レンズ群に近づき過ぎてしまうため、ピント調整に必要な間隔がなくなってしまう。
【００６２】
また、像面における光線の斜入射角度も大きくなり過ぎる。そのため、斜視対物光学系から出射する光線の角度を、撮像素子の斜入射特性を満足する角度にすることができない。
【００６３】
また、後側正レンズの屈折力が大きくなり過ぎるので、後側正レンズによって光線が大きく曲げられてしまう。この場合、球面収差が補正過剰となり、また、コマ収差も大きくなる。そのため、光学性能が低下してしまう。
【００６４】
条件式（１）の上限値を上回ると、後側正レンズの焦点距離が大きくなり過ぎる。この場合、像位置が後群レンズ群から離れるので、ピント調整に必要な間隔は確保できる。しかしながら、調整間隔が大きくなり過ぎるので、光学系の全長が長くなってしまう。そのため、光学系が大型化してしまう。
【００６５】
また、像面への斜入射角度も小さくなり過ぎる。そのため、斜視対物光学系から出射する光線の角度を、撮像素子の斜入射特性を満足する角度にすることができない。
【００６６】
また、後側正レンズの屈折力が小さくなり過ぎるので、後側正レンズによって光線があまり曲げられなくなってしまう。この場合、球面収差が補正不足となり、また、コマ収差も大きくなる。そのため、光学性能が低下してしまう。
【００６７】
本実施形態の斜視対物光学系は、以下の条件式（２）を満足することが好ましい。
０．４＜ｆ３／ｆ２＜１．５      （２）
ここで、
ｆ２は、後側正レンズの焦点距離、
ｆ３は、接合レンズの焦点距離、
である。
【００６８】
条件式（２）は、後側正レンズの焦点距離と接合レンズの焦点距離とを規定した条件式である。
【００６９】
条件式（２）を満足することで、後側正レンズの屈折力と接合レンズの屈折力とのバランスを最適にすることができる。
【００７０】
条件式（２）の下限値を下回ると、後側正レンズに対して接合レンズの焦点距離が小さくなり過ぎるので、後側レンズ群における正の屈折力が大きくなり過ぎる。この場合、像位置が後側レンズ群に近づき過ぎてしまうため、ピント調整に必要な間隔が狭くなってしまう。すなわち、ピント調整に必要な間隔が不足する。さらに、画角が大きくなって前側レンズ群が大型化してしまう。
【００７１】
また、物体側における合焦範囲については、斜視対物光学系の用途に応じて、好ましい範囲と、光学系に対する好ましい位置（好ましい近点の位置、又は好ましい遠点の位置）と、が予め決まっている。実際には、好ましい範囲よりも多少広い範囲が、合焦範囲として確保されている。このようにすると、好ましい範囲に対して、実際に確保される合焦範囲に多少の余裕を持たせることができる。
【００７２】
画素ピッチが小さい撮像素子に使用する光学系のＦナンバーは小さくする必要があるため、従来の光学系の場合と比べて好ましい範囲は狭くなる。この場合も、実際に確保される合焦範囲を、好ましい範囲よりも多少広くすることで好ましい範囲をカバーすることができる。しかしながら、Ｆナンバーが小さい光学系では、このようにしても、実際に確保される合焦範囲において、好ましい範囲に対して十分な余裕を得ることが難しい。
【００７３】
そのため、実際に確保される合焦範囲の近点の位置が好ましい位置よりも光学系に少し近くなるだけで、遠点側の範囲が不足してしまい、遠点に位置する物体をピントの合った状態で観察できなくなる。また、実際に確保される合焦範囲の遠点の位置が好ましい位置よりも光学系から少し遠くなるだけで、逆に近点側の範囲が不足してしまい、近点に位置する物体をピントの合った状態で観察できなくなる。
【００７４】
また、合焦範囲を広げるために光学系のＦナンバーを大きくすることは、光学系の回折影響によって画質劣化するためできない。さらに、合焦範囲を広げるために光学系の焦点距離を小さくすることは、光学系の画角が大きくなって前側レンズ群の大型化を招いてしまう。
【００７５】
条件式（２）の下限値を下回ると、実際に確保される合焦範囲の位置が、好ましい位置よりも斜視対物光学系から遠ざかる。この場合、実際に確保される合焦範囲の近点の位置が、好ましい近点の位置よりも、斜視対物光学系から遠ざかる。そのため、好ましい近点に位置する物体を、ピントの合った状態で結像することが困難になる。
【００７６】
更に、像の周辺部においてコマ収差がマイナス方向に大きく発生してしまう。そのため、光学性能が低下する。
【００７７】
また、例えば、接合レンズが正レンズと負レンズを有する場合、特に、後側レンズ群における正レンズ全体の屈折力と負レンズ全体の屈折力のバランスが崩れる。その結果、軸上色収差と倍率色収差が発生する。そのため、光学性能が低下する。画素ピッチが小さい撮像素子と共に使用する場合、光学性能の低下への影響は著しい。
【００７８】
また、接合レンズの焦点距離が小さくなり過ぎる。すなわち、接合レンズの屈折力が大きくなり過ぎる。この場合、レンズ面の曲率半径が小さくなるので、接合レンズを構成するレンズの加工が難しくなる。接合レンズが正レンズと負レンズを有する場合、正レンズの加工と負レンズの加工が、共に難しくなる。
【００７９】
条件式（２）の上限値を上回ると、接合レンズの焦点距離が長くなり過ぎるので、後側レンズ群における正の屈折力が小さくなり過ぎる。この場合、像位置が後側レンズ群から離れ過ぎてしまうため、明るさ絞りから像位置までの硝路長が長くなる。その結果、光学系の全長が長くなってしまう。また、光学系全体が大型化する。
【００８０】
さらに、画角が小さくなるので、光学系の観察範囲が狭くなる。また、斜視対物光学系全系の焦点距離が大きくなるので、合焦範囲が狭くなってしまう。
【００８１】
また、実際に確保される合焦範囲の位置が、好ましい位置よりも斜視対物光学系に近づく。この場合、実際に確保される合焦範囲の遠点の位置が、好ましい遠点の位置よりも、斜視対物光学系に近づく。そのため、好ましい遠点に位置する物体を、ピントの合った状態で結像することが困難になる。
【００８２】
また、像の周辺部においてコマ収差がプラス方向に大きく発生してしまう。そのため、光学性能が低下する。
【００８３】
また、例えば、接合レンズが正レンズと負レンズを有する場合、特に、後側レンズ群における正レンズ全体の屈折力と負レンズ全体の屈折力のバランスが崩れる。その結果、軸上色収差と倍率色収差が発生する。そのため、光学性能が低下する。画素ピッチが小さい撮像素子と共に使用する場合、光学性能の低下への影響は著しい。
【００８４】
また、後側正レンズの焦点距離が小さくなり過ぎる。すなわち、後側正レンズの屈折力が大きくなり過ぎる。この場合、レンズ面の曲率半径が小さくなるので、後側正レンズの加工が難しくなる。
【００８５】
本実施形態の斜視対物光学系は、以下の条件式（３）を満足することが好ましい。
２．３＜ｆＲ／ｆ＜３．８      （３）
ここで、
ｆＲは、後側レンズ群の焦点距離、
ｆは、斜視対物光学系全系の焦点距離、
である。
【００８６】
条件式（３）は、後側レンズ群の焦点距離を規定した条件式である。
【００８７】
条件式（３）の下限値を下回ると、後側レンズ群における正の屈折力が大きくなり過ぎる。この場合、像位置が後側レンズ群に近づき過ぎてしまうため、ピント調整に必要な間隔が狭くなってしまう。すなわち、ピント調整に必要な間隔が不足する。
【００８８】
また、合焦範囲の位置が、好ましい範囲の位置よりも斜視対物光学系から遠ざかる。この場合、合焦範囲の近点の位置が、好ましい範囲の近点の位置よりも、斜視対物光学系から遠ざかる。そのため、好ましい範囲の近点に位置する物体を、ピントの合った状態で結像することが困難になる。
【００８９】
更に、後側レンズ群の屈折力が大きくなり過ぎると、後側レンズ群を構成する正レンズの屈折力も大きくなる。この場合、レンズ面の曲率半径が小さくなるので、後側レンズ群を構成するレンズの加工が難しくなる。
【００９０】
条件式（３）の上限値を上回ると、後側レンズ群における正の屈折力が小さくなり過ぎる。この場合、像位置が後側レンズ群から離れ過ぎてしまうため、明るさ絞りから像位置までの硝路長が長くなる。その結果、光学系の全長が長くなってしまう。また、光学系全体が大型化する。
【００９１】
また、合焦範囲の位置が、好ましい範囲の位置よりも斜視対物光学系に近づく。この場合、合焦範囲の遠点の位置が、好ましい範囲の遠点の位置よりも、斜視対物光学系に近づく。そのため、好ましい範囲の遠点に位置する物体を、ピントの合った状態で結像することが困難になる。
【００９２】
また、像の周辺部においてコマ収差がプラス方向に大きく発生してしまう。そのため、光学性能が低下する。
【００９３】
本実施形態の斜視対物光学系は、以下の条件式（４）を満足することが好ましい。
−２．８＜ｆＦ／ｆ＜−１．５      （４）
ここで、
ｆＦは、前側レンズ群の焦点距離、
ｆは、斜視対物光学系全系の焦点距離、
である。
【００９４】
条件式（４）は、前側レンズ群の焦点距離を規定した条件式である。
【００９５】
条件式（４）の上限値を上回ると、前側レンズ群の屈折力が大きくなるため、斜視対物光学系の画角が大きくなる。画角が大きくなると、前側レンズ群における光線高が高くなるため、前側レンズ群を構成するレンズの外径が大きくなってしまう。
【００９６】
更に、画角が大きくなることで、像の周辺部が暗くなってしまう。この場合、撮像素子による撮像で得た観察画像でも、周辺部が暗くなってしまう。画像周辺部を明るくするためには、観察範囲の周辺部を照明する照明光を、更に明るくしなければならない。そうすると、照明光学系の大型化を招いてしまう。
【００９７】
前側レンズ群は、前側負レンズからなる。よって、前側レンズ群の屈折力が大きくなると、前側負レンズの屈折力が大きくなる。この場合、特に、前側負レンズで、レンズ面の曲率半径が小さくなるため、前側負レンズの加工が難しくなる。
【００９８】
更に、前側負レンズの屈折力が大きくなると、前側負レンズで発生する収差が大きくなるので、光学系全体の収差が悪化する。前側負レンズで発生する収差を補正するためには、前側レンズ群を構成するレンズの枚数を多くする必要がある。しかしながら、レンズの枚数を増やすと光学系が大型化してしまう。
【００９９】
このように、条件式（４）の上限値を上回ると、斜視対物光学系の大型化や、照明光学系の大型化を招いてしまう。斜視対物光学系は、照明光学系と共に内視鏡の先端部に配置される。よって、条件式（４）の上限値を上回ることは、内視鏡の先端部の細径化にとって好ましくない。
【０１００】
更に、前側負レンズの屈折力が大きくなると、特に、前側負レンズが偏心した場合に光学性能の劣化が大きくなる。その結果、安定した光学性能をもつ斜視対物光学系を実現することが困難になる。
【０１０１】
条件式（４）の下限値を下回ると、前側レンズ群の屈折力が小さくなるため、斜視対物光学系の画角が小さくなる。この状態で画角を大きくするためには、前側負レンズから明るさ絞りまでの距離を長くしなくてはならない。そうすると、前側負レンズから明るさ絞りまでの間の光線高が高くなるため、前側レンズ群が大型化すると共に、光学系全体が大型化してしまう。
【０１０２】
本実施形態の斜視対物光学系は、以下の条件式（５）を満足することが好ましい。
４．０＜ｆ３／ｆ＜８．０      （５）
ここで、
ｆ３は、接合レンズの焦点距離、
ｆは、斜視対物光学系全系の焦点距離、
である。
【０１０３】
条件式（５）は、接合レンズの焦点距離を規定した条件式である。
【０１０４】
条件式（５）の下限値を下回ると、接合レンズの焦点距離が小さくなり過ぎる。すなわち、接合レンズの正の屈折力が大きくなり過ぎる。この場合、像位置が後側レンズ群に近づき過ぎてしまうため、ピント調整に必要な間隔が狭くなってしまう。すなわち、ピント調整に必要な間隔が不足する。
【０１０５】
また、合焦範囲の位置が、好ましい範囲の位置よりも斜視対物光学系から遠ざかる。この場合、合焦範囲の近点の位置が、好ましい範囲の近点の位置よりも、斜視対物光学系から遠ざかる。そのため、好ましい範囲の近点に位置する物体を、ピントの合った状態で結像することが困難になる。
【０１０６】
更に、像の周辺部においてコマ収差がマイナス方向に大きく発生してしまう。そのため、光学性能が低下する。
【０１０７】
また、例えば、接合レンズが正レンズと負レンズを有する場合、特に、後側レンズ群における正レンズ全体の屈折力と負レンズ全体の屈折力のバランスが崩れる。その結果、軸上色収差と倍率色収差が発生する。そのため、光学性能が低下する。画素ピッチが小さい撮像素子と共に使用する場合、光学性能の低下への影響は著しい。
【０１０８】
また、接合レンズの屈折力が大きくなり過ぎると、レンズ面の曲率半径が小さくなるので、接合レンズを構成するレンズの加工が難しくなる。接合レンズが正レンズと負レンズを有する場合、正レンズの加工と負レンズの加工が、共に難しくなる。
【０１０９】
条件式（５）の上限値を上回ると、接合レンズの焦点距離が長くなり過ぎる。すなわち、接合レンズの正の屈折力が小さくなり過ぎる。この場合、像位置が後側レンズ群から離れ過ぎてしまうため、明るさ絞りから像位置までの硝路長が長くなる。その結果、光学系の全長が長くなってしまう。また、光学系全体が大型化する。
【０１１０】
また、合焦範囲の位置が、好ましい範囲の位置よりも斜視対物光学系に近づく。この場合、合焦範囲の遠点の位置が、好ましい範囲の遠点の位置よりも、斜視対物光学系に近づく。そのため、好ましい範囲の遠点に位置する物体を、ピントの合った状態で結像することが困難になる。
【０１１１】
また、像の周辺部においてコマ収差がプラス方向に大きく発生してしまう。そのため、光学性能が低下する。
【０１１２】
接合レンズが正レンズと負レンズを有する場合、特に、後側レンズ群における正レンズ全体の屈折力と負レンズ全体の屈折力のバランスが崩れる。その結果、軸上色収差と倍率色収差が発生する。そのため、光学性能が低下する。撮像素子の画素ピッチが小さい撮像素子と共に使用する場合、光学性能の低下への影響は著しい。
【０１１３】
本実施形態の斜視対物光学系は、以下の条件式（６）を満足することが好ましい。
３．５＜Ｄ１／ｆ＜８．０      （６）
ここで、
Ｄ１は、前側負レンズの像側面から明るさ絞りまでの空気換算長、
ｆは、斜視対物光学系全系の焦点距離、
である。
【０１１４】
条件式（６）は、前側負レンズの像側面から明るさ絞りまでの空気換算長を規定した条件式である。例えば、後述の実施例１では、Ｄ１は以下の式で求まる。
Ｄ１＝ｄ２＋ｄ３／ｎ３＋ｄ４＋ｄ５／ｎ５＋ｄ６
【０１１５】
条件式（６）の下限値を下回ると、最適な外径形状の光路変換素子を配置するためのスペースを十分に確保することが難しくなる。そのため、光路変換素子で、光線のけられが発生する。また、光路変換素子の光学面以外に光線が入射することで、画像にフレアが発生する虞がある。
【０１１６】
また、前側レンズ群を保持する枠部材の長さを、適切に確保することが難しくなる。この場合、組立用の治工具に枠部材を安定的に保持することができなくなる。そのため、斜視対物光学系の組立てやピント調整を、高精度に行うことが難しくなる。更に、斜視対物光学系の内視鏡先端部への取り付けと固定を、高精度に行うことが難しくなる。
【０１１７】
条件式（６）の上限値を上回ると、光路変換素子を配置するためのスペースを十分に確保できるが、前側負レンズから明るさ絞りまでの硝路長が長くなりすぎる。この場合、前側負レンズにおける光線高が高くなるので、前側負レンズの外径が大きくなる。これに伴って、斜視対物光学系が大型化する。更に、斜視対物光学系の大型化に伴って、それを搭載する内視鏡の外径も大きくなる。
【０１１８】
本実施形態の斜視対物光学系は、以下の条件式（７）を満足することが好ましい。
１．５＜Ｄ２／ｆ＜２．５      （７）
ここで、
Ｄ２は、後側レンズ群の最終レンズの像側面から像面までの空気換算長、
ｆは、斜視対物光学系全系の焦点距離、
である。
【０１１９】
条件式（７）は後側レンズ群の最終レンズの像側面から像面までの空気換算長を規定した条件式である。ここで、最終レンズは屈折力を有するレンズを意味する。よって、カラーフィルタ等の平行平板フィルタやパワーレスレンズは、最終レンズではない。例えば、後述の実施例１では、Ｄ２は以下の式で求まる。
Ｄ２＝ｄ１４＋ｄ１５／ｎ１５＋ｄ１６／ｎ１６＋ｄ１７／ｎ１７＋ｄ１８／ｎ１８＋ｄ１９
【０１２０】
条件式（７）の下限値を下回ると、最終レンズから像面までの間隔が狭くなり過ぎる。
この場合、撮像素子と斜視対物光学系との間隔が狭くなり過ぎるので、斜視対物光学系の組立時に十分なピント調整が行えない。
【０１２１】
また、合焦範囲の位置が、好ましい範囲の位置よりも斜視対物光学系に近づく。この場合、合焦範囲の遠点の位置が、好ましい範囲の遠点の位置よりも、斜視対物光学系に近づく。そのため、好ましい範囲の遠点に位置する物体を、ピントの合った状態で結像することが困難になる。
【０１２２】
条件式（７）の上限値を上回ると、最終レンズから像面までの距離を十分に確保できるため、斜視対物光学系の組立時のピント調整はできる。しかしながら、最終レンズから像面までの距離が長くなり過ぎるため、撮像素子の位置が斜視対物光学系から離れ過ぎてしまう。その結果、斜視対物光学系を内視鏡先端部に取り付けた時に、斜視対物光学系と撮像素子（以下、「撮像系」という）が、他の部材と干渉しやすくなる。この干渉を避けるためには、内視鏡内の撮像系の周囲にクリアランスを設ける必要がある。そうすると、内視鏡先端部全体が大型化してしまう。
【０１２３】
本実施形態の斜視対物光学系は、以下の条件式（８）を満足することが好ましい。
−０．９＜ｆＦ／ｆＲ＜−０．５      （８）
ここで、
ｆＦは、前側レンズ群の焦点距離、
ｆＲは、後側レンズ群の焦点距離、
である。
【０１２４】
条件式（８）は、前側レンズ群の焦点距離と後側レンズ群の焦点距離の比を規定した条件式である。条件式（８）を満足することで、前側レンズ群の屈折力と後側レンズ群の屈折力のバランスを最適にすることができる。その結果、諸収差が良好に補正された斜視対物光学系を実現することができる。
【０１２５】
条件式（８）の上限値を上回ると、前側レンズ群の焦点距離が小さくなる。すなわち、前側レンズ群の屈折力が大きくなる。そのため、斜視対物光学系の画角が大きくなる。画角が大きくなると、レンズを通過する光線の高さが高くなるため、前側レンズ群を構成するレンズの外径が大きくなってしまう。
【０１２６】
更に、画角が大きくなることで、像の周辺部が暗くなってしまう。この場合、撮像素子による撮像で得た観察画像でも、周辺部が暗くなってしまう。画像周辺部を明るくするためには、観察範囲の周辺部を照明する照明光を、更に明るくしなければならない。そうすると照明光学系の大型化を招いてしまう。
【０１２７】
このように、条件式（８）の上限値を上回ると、斜視対物光学系の大型化や、照明光学系の大型化を招いてしまう。斜視対物光学系や照明光学系は、内視鏡の先端部に配置される。よって、条件式（８）の上限値を上回ることは、内視鏡の細径化には好ましくない。
【０１２８】
前側レンズ群は、前側負レンズからなるので、前側レンズ群の屈折力が大きくなると、前側負レンズの屈折力が大きくなる。この場合、前側負レンズの屈折力が、後側レンズ群の正の屈折力よりも大きくなる。そのため、負の屈折力の影響を受ける収差を、後側レンズ群で十分に補正することができない。その結果、正方向に像面湾曲が生じる。
【０１２９】
更に、前側レンズ群の屈折力と後側レンズ群の屈折力とのバランスが悪くなる。この場合、非点収差の発生量が大きくなるので、特に、子午線方向の像面が大きく正方向に傾いてしまう。そのため、レンズが偏心した場合に、像に片ボケが発生しやすくなる。特に、近点観察時に、像の周辺部が著しくボケてしまう虞がある。
【０１３０】
また、撮像素子による撮像で得た観察画像でも、片ボケが発生しやすくなる。特に、近点観察時に、観察画像の周辺部が著しくボケてしまう虞がある。
【０１３１】
条件式（８）の下限値を下回ると、前側レンズ群の焦点距離が長くなる。すなわち、前側レンズ群の屈折力が小さくなる。そのため、斜視対物光学系の画角が小さくなる。
【０１３２】
更に、前側負レンズの屈折力が、後側レンズ群の正の屈折力よりも小さくなる。そのため、後側レンズ群による補正が、負の屈折力の影響を受ける収差に対して過剰になる。その結果、負方向に大きな像面湾曲が生じる。
【０１３３】
更に、前側レンズ群の屈折力と後側レンズ群の屈折力とのバランスが悪くなる。この場合、非点収差の発生量が大きくなるので、特に、子午線方向の像面が大きく負方向に傾いてしまう。そのため、レンズが偏心した場合に、像に片ボケが発生しやすくなる。特に、遠点観察時に、像の周辺部が著しくボケてしまう虞がある。
【０１３４】
また、撮像素子による撮像で得た観察画像でも、片ボケが発生しやすくなる。特に、遠点観察時に、観察画像の周辺部が著しくボケてしまう虞がある。
【０１３５】
本実施形態の斜視対物光学系では、後側正レンズは、像側に曲率半径の小さい面を向けており、接合レンズは、物体側に曲率半径の小さい面を向けており、以下の条件式（９）を満足することが好ましい。
０．４＜｜Ｒ３／Ｒ２｜＜０．８５      （９）
ここで、
Ｒ２は、後側正レンズの像側面の曲率半径、
Ｒ３は、接合レンズの物体側面の曲率半径、
である。
【０１３６】
条件式（９）は、後側正レンズの像側面の曲率半径と接合レンズの物体側面の曲率半径を規定した条件式である。条件式（９）を満足することで、後側正レンズの像側面の屈折力と接合レンズの物体側面の屈折力とのバランスを最適にすることができる。
【０１３７】
条件式（９）の下限値を下回ると、接合レンズの物体側面の曲率半径が小さくなり過ぎるため、この面を通過する光線が大きく曲げられてしまう。この場合、像面への光線入射角度が小さくなる。そのため、斜視対物光学系から出射する光線の角度を、撮像素子の斜入射特性を満足する角度にすることができない。その結果、撮像素子への光線の入射効率が悪くなるので、画像の周辺部が暗くなってしまう。
【０１３８】
また、像位置が後側レンズ群に近づき過ぎてしまうため、ピント調整に必要な間隔が不足してしまう。
【０１３９】
条件式（９）の上限値を上回ると、後側正レンズの像側面の曲率半径が小さくなり過ぎるため、この面を通過する光線が大きく曲げられてしまう。この場合、像面への光線入射角度が小さくなる。そのため、斜視対物光学系から出射する光線の角度を、撮像素子の斜入射特性を満足する角度にすることができない。その結果、撮像素子への光線の入射効率が悪くなるので、画像の周辺部が暗くなってしまう。
【０１４０】
更に、像位置が後側レンズ群に近づき過ぎてしまうため、ピント調整に必要な間隔が不足してしまう。
【０１４１】
また、本実施形態の斜視対物光学系では、光路変換素子は、プリズム又はミラーであることが好ましい。
【０１４２】
また、本実施形態の斜視対物光学系では、光路変換素子に、高屈折率硝材を使用することができる。
【０１４３】
上述のように、本実施形態の斜視対物光学系では、明るさ絞りよりも物体側に光路変換素子を配置している。ただし、この構成では、明るさ絞りよりも像側に光路変換素子を配置する場合に比べると、前側負レンズから明るさ絞りまでの硝路長が長くなる。この場合、特に、前側負レンズにおいて光線高が高くなるので、前側負レンズの外径が大きくなりやすい。
【０１４４】
そこで、光路変換素子に、高屈折率硝材を使用することが好ましい。このようにすると、光路変換素子の空気換算長を小さくできるので、前側負レンズから明るさ絞りまでの硝路長が短くなる。この場合、前側負レンズにおける光線高を低く抑えることができるので、前側負レンズの外径を小さくすることができる。
【０１４５】
しかし、光路変換素子に使用する硝材の屈折率は、単純に高くすることはできない。斜視対物光学系では、より広い範囲を観察できることが望まれている。この要望に応えるためには、光学系を広角化する必要がある。光学系の画角は、主に物体側に位置する負レンズの屈折力によって決まる。そのため、本実施形態の斜視対物光学系において広い画角を確保しようとすると、前側負レンズの屈折力が大きくなる。
【０１４６】
前側負レンズの屈折力が大きくなると、前側負レンズの像側面の曲率半径が小さくなって、レンズ加工性が悪くなる。また、前側負レンズは対物枠で保持される。前側負レンズの屈折力が大きくなると、対物枠と前側負レンズとの偏心による偏角や片ボケが大きくなるので、偏角による光学性能への影響や、片ボケによる光学性能への影響が大きくなる。
【０１４７】
そのため、本実施形態の斜視対物光学系では、前側負レンズから明るさ絞りまでの硝路長を少し長くして、前側負レンズの屈折力をやや弱くしている。上述のように、前側負レンズから明るさ絞りまでの硝路長には、光路変換素子の空気換算長、すなわち、光路変換素子に使用する硝材の屈折率が影響する。よって、光路変換素子に使用する硝材の屈折率の設定では、前側負レンズの屈折力を考慮する必要がある。
【０１４８】
このように、光路変換素子に使用する硝材の屈折率は、前側負レンズ外径だけでなく、前側負レンズの屈折力（レンズの偏心による光学性能への影響）も考慮して、適切に設定する必要がある。本実施形態の斜視対物光学系では、前側負レンズ外径や前側負レンズの屈折力を考慮して、前側負レンズから明るさ絞りまでの硝路長が最適となるような高い屈折率を持つ硝材を、光路変換素子に使用している。
【０１４９】
また、本実施形態の斜視対物光学系では、接合レンズの正レンズに低分散硝材を使用し、接合レンズの負レンズに高分散硝材を使用することができる。
【０１５０】
一般に、高屈折率硝材のアッベ数はあまり大きくないため、高屈折率硝材では分散が大きくなる。そのため、光路変換素子に高屈折率硝材を使用することで光路変換素子の空気換算長を小さくできても、色収差への影響は残る。
【０１５１】
このようなことから、接合レンズの正レンズに低分散硝材を使用し、接合レンズの負レンズに高分散硝材を使用することが好ましい。特に、接合レンズの負レンズには、異常分散性を持つ硝材を用いると良い。このようにすることで、色収差を良好に補正することができる。更に、斜視対物光学系全体での諸収差を、バランスの取れた状態にすることができる。
【０１５２】
色収差を良好に補正するためには、特に、接合レンズの正レンズにはアッベ数６０以上の硝材を用い、負レンズにはアッベ数２０以下の硝材を用いることが好ましい。
【０１５３】
また、本実施形態の斜視用内視鏡は、上述の斜視対物光学系を備えることを特徴とする。
【０１５４】
本実施形態の斜視対物光学系は、小型で高性能な斜視対物光学系である。よって、このような斜視対物光学系を備えることで、高画質の画像が得られると共に、細径化された先端部を有する斜視用内視鏡を実現することができる。
【０１５５】
また、本実施形態の斜視対物光学系は、内視鏡装置に用いることができる。内視鏡装置は、本実施形態の斜視対物光学系と、撮像素子と、を少なくとも備える。
【０１５６】
実施例の説明に先立って、本実施形態の斜視対物光学系の概要について説明する。各実施例のレンズ断面図では、光路変換素子は、プリズムを展開した図として示されている。そのため、光路変換素子は、平行平面板として描かれている。本実施形態の斜視対物光学系の説明では、展開されていない状態のプリズムを用いる。
【０１５７】
展開されていない状態のプリズムの例を図３に示す。図３はプリズムを展開しない状態で描いたときのレンズ断面図である。ここでは、本実施形態の斜視対物光学系として、実施例１の斜視対物光学系が例示されている。斜視対物光学系は、プリズムＰを介して配置された前側レンズ群ＧＦと後側レンズ群ＧＲとを有し、明るさ絞りＳはプリズムＰと後側レンズ群ＧＲとの間に配置されている。
【０１５８】
すなわち、本実施形態の斜視対物光学系には、プリズムＰの物体側に前側レンズ群ＧＦが配置され、プリズムＰの像側に後側レンズ群ＧＲが配置されている。前側レンズ群ＧＦは負の屈折力を有し、前側負レンズＬ１から構成されている。後側レンズ群ＧＲは正の屈折力を有し、後側正レンズＬ２と、正の屈折力を有する接合レンズＣＬから構成されている。接合レンズＣＬでは、正レンズＬ３と負レンズＬ４とが、順次接合されている。
【０１５９】
平行平板として描かれたプリズムＰを１回反射型のプリズムとして構成すれば、図３に示すように、９０度側方観察が可能な側方視用対物光学系を構成することができる。また、プリズムの反射面を４５度以外の角度に設定にすれば、４５度以外の前方視や後方視などの対物光学系が構成できる。また、２回反射型のプリズムとして構成すれば、４５度の前方視用対物光学系を構成することもできる。
【０１６０】
更に、プリズムＰは、複数のプリズムによって構成することも可能である。図４（ａ）には、２つのプリズムで側方視ができる構成が示され、図４（ｂ）には、２つのプリズムで前方視ができる構成が示されている。
【０１６１】
また、プリズムＰの硝材には、高屈折率硝材を使用することが好ましい。このようにすると、プリズムＰの空気換算長を小さくすることができるので、広い画角を確保しつつ、前側負レンズＬ１の外形と屈折力を、共に小さくすることができる。
【０１６２】
プリズムＰの硝材に、屈折率が１．８以上の高屈折率硝材を用いることで、プリズムＰの空気換算長をより小さくすることができる。しかし、高屈折率硝材はアッベ数が小さいので、色分散効果が大きい。そのため、プリズムＰによる色分散効果が大きくなる。
【０１６３】
一方、低屈折率硝材はアッベ数が大きいので、色分散効果が小さく抑えられる。プリズムＰの硝材に、屈折率が１．５程度の低屈折率硝材を用いることで、プリズムＰによる色分散効果を抑えることができる。しかし、プリズムＰの空気換算長が小さくなるので、前側負レンズＬ１から明るさ絞りＳまでの硝路長が実質的に短くなる。その結果、前側負レンズＬ１の屈折力が大きくなる。
【０１６４】
前側負レンズＬ１の屈折力が大きくなると、対物枠と前側負レンズＬ１との偏心による性能劣化が生じやすくなる。一方、前側負レンズＬ１の屈折力を小さくすると、前側負レンズの偏心による影響を抑えられるが、前側負レンズＬ１の外径が大きくなる。したがって、必要な光学性能を満足しつつ、前側負レンズＬ１の外径や前側負レンズＬ１の偏心の影響なども考慮して、斜視対物光学系全体を構成することが必要である。
【０１６５】
前側負レンズＬ１の硝材をサファイアとしても良い。サファイアは硬度が非常に高い材料なので、外部からの衝撃に強い。よって、物体側のレンズ面に傷が付きにくい。サファイアを用いることで、画像への傷の映り込みや、傷によるフレア発生が起こりにくくなる。
【０１６６】
なお、前側負レンズＬ１の硝材は、サファイアに限られない。前側負レンズＬ１に高硬度の結晶材料を用いれば、レンズの表面に傷が付きにくくなる。
【０１６７】
本実施例の斜視対物光学系の後側レンズ群には、後側正レンズＬ２が用いられている。図３では、後側正レンズＬ２に、両凸正レンズが用いられている。低分散硝材では屈折率が低くなるため、低分散硝材を後側正レンズＬ２に用いると、レンズ面の曲率半径が小さくなってしまう。そのため、レンズのコバ厚を十分に確保できないという問題や、有効口径に対して余裕を持ったレンズ外径を確保できなくなるという問題が生じやすい。
【０１６８】
そこで、レンズの加工性を考慮すると、後側正レンズＬ２において、レンズ面の曲率半径が小さくなり過ぎないようにすることが好ましい。このようなことから、屈折率が１．６以上の硝材を、後側正レンズＬ２に用いると良い。
【０１６９】
後側正レンズＬ２を両凸レンズで構成する場合、物体側面の曲率半径の絶対値を、像側面の曲率半径の絶対値よりも大きくしても良い。このようにすると、収差補正が容易に行える。
【０１７０】
また、撮像素子の画素ピッチが小さくなってくると、色収差も小さく抑える必要がある。これに対応するために、接合レンズＣＬを構成する負レンズＬ４には、屈折率が１．９以上で、アッベ数が２５以下の高分散硝材を用いることが好ましい。このようにすることで、色収差の補正を良好にすることができる。
【０１７１】
一方、接合レンズＣＬを構成する正レンズＬ３には、なるべくアッベ数の大きい低分散硝材を用いるのが良い。例えば、アッベ数４５以上の硝材を、正レンズＬ３に用いることが好ましい。
【０１７２】
また、接合レンズＣＬを像面に近い位置に配置することで、接合レンズＣＬを通過する光線の高さが高くなる。光線高が高い位置に接合レンズＣＬを位置することで、倍率色収差を良好に補正することができる。このように、接合レンズＣＬを像面に近い位置に配置することは、特に倍率色収差の補正に有効である。
【０１７３】
また、本実施例の斜視対物光学系に設けられたプリズム以外の平行平板は、例えば、赤外線カットフィルタや、色温度変換フィルタである。これらのフィルタは、ＣＣＤなどの撮像素子の感度補正や色補正に用いられる。
【０１７４】
また、レーザーカットフィルタや特殊機能フィルタを、斜視対物光学系に配置してもよい。レーザーカットフィルタとしては、例えば、ＹＡＧレーザーや半導体レーザー等のレーザー光をカットするためのフィルタがある。特殊機能フィルタとしては、例えば、特定波長域の光線をカットするノッチフィルタがある。
【０１７５】
また、光学フィルタには、吸収型のフィルタ、反射型のフィルタ、もしくはそれらの複合型を用いても良い。また、反射防止膜を施したフィルタを用いてもよい。
【０１７６】
更に、プリズムの透過面に、赤外線カット特性またはレーザー光カット特性を有する干渉膜を設けることも可能である。
【０１７７】
また、本実施例の斜視対物光学系の像面側に配置している平行平板フィルタは、撮像素子に用いるガラスリッドＧＬと、その前側に設けられるカバーガラスＣＧである。カバーガラスＣＧの側面や表面を枠部材で保持することで、撮像素子が枠部材内に固定される。
【０１７８】
なお、小型化のために、このカバーガラスＣＧを設けずにガラスリッドＧＬを直接保持することもできる。
【０１７９】
また、斜視対物光学系の像面Ｉと撮像素子ＩＤの受光面とが一致するように構成される。
【０１８０】
更に、前側負レンズＬ１に近接してフィルタを設けて、前側負レンズＬ１の像面側に形成される空気層の体積を小さくすることができる。その結果、レンズ面の結露による曇りの影響を低減することができる。
【０１８１】
更に、前側負レンズＬ１とフィルタとを接合しても良く、また、両者をはんだ等で気密封止しても良い。このようにすることで、より効果的に曇りを防止することができる。
【０１８２】
本実施例の斜視対物光学系のレンズ枚数は４枚と少ないが、結像性能は良好である。このように、本実施例の斜視対物光学系では、少ないレンズ枚数で対物光学系を構成できるので、コストの低減ができる。
【０１８３】
更に、本実施例の斜視対物光学系では、従来の斜視対物光学系と比べて、空気間隔が狭くなっているので、光学系全体が小型になっている。
【０１８４】
図面について説明する。実施例１乃至１９の各図面において、（ａ）は斜視対物光学系の断面図を示している。Ｐはプリズムを表し、Ｆ１はフィルタを示し、ＣＧはカバーガラスを示し、ＧＬはガラスリッドを示し、Ｉは像面を表している。
【０１８５】
収差図について説明する。（ｂ）は球面収差（ＳＡ）、（ｃ）は非点収差（ＡＳ）、（ｄ）は歪曲収差（ＤＴ）、（ｅ）は倍率色収差（ＣＣ）を示している。
【０１８６】
各収差図において、横軸は収差量を表している。球面収差、非点収差及び倍率収差については、収差量の単位はｍｍである。また、歪曲収差については、収差量の単位は％である。また、ＩＨは像高で単位はｍｍ、ＦｎｏはＦナンバーである。また、収差曲線の波長の単位はｎｍである。
【０１８７】
以下、各実施例について説明する。
【０１８８】
（実施例１）
実施例１に係る斜視対物光学系について説明する。実施例１の斜視対物光学系は、物体側から順に、負の屈折力を有する前側レンズ群ＧＦと、光路変換素子Ｐと、明るさ絞りＳと、正の屈折力を有する後側レンズ群ＧＲと、からなる。
【０１８９】
前側レンズ群ＧＦは、物体側が平面である平凹負レンズＬ１からなる。
【０１９０】
光路変換素子Ｐは、前側レンズ群ＧＦと後側レンズ群ＧＲとの間に配置されている。光路変換素子Ｐはプリズムである。光路変換素子Ｐには、屈折率が１．８以上の高屈折率硝材が用いられている。
【０１９１】
明るさ絞りＳは、光路変換素子Ｐと後側レンズ群ＧＲとの間に配置されている。より具体的には、明るさ絞りＳは、光路変換素子Ｐの像側面に設けられている。
【０１９２】
後側レンズ群ＧＲは、両凸正レンズＬ２と、両凸正レンズＬ３と、像側に凸面を向けた負メニスカスレンズＬ４と、からなる。ここで、両凸正レンズＬ３と負メニスカスレンズＬ４とで、正の屈折力を有する接合レンズを形成している。
【０１９３】
両凸正レンズＬ２は、像面側に曲率半径の小さい面を向けている。接合レンズは、物体面側に曲率半径の小さい面を向けている。レンズ面の曲率半径の大小の比較は、絶対値で行っている。実施例２〜１９についても同様である。
【０１９４】
前側レンズ群ＧＦには、フィルタＦ１が配置されている。フィルタＦ１は、平凹負レンズＬ１と光路変換素子Ｐとの間に配置されている。後側レンズ群ＧＲには、フィルタＦ２、カバーガラスＣＧ及びガラスリッドＧＬが配置されている。フィルタＦ２は、両凸正レンズＬ２と接合レンズとの間に配置されている。
【０１９５】
（実施例２）
実施例２に係る斜視対物光学系について説明する。実施例２の斜視対物光学系は、物体側から順に、負の屈折力を有する前側レンズ群ＧＦと、光路変換素子Ｐと、明るさ絞りＳと、正の屈折力を有する後側レンズ群ＧＲと、からなる。
【０１９６】
前側レンズ群ＧＦは、物体側が平面である平凹負レンズＬ１からなる。
【０１９７】
光路変換素子Ｐは、前側レンズ群ＧＦと後側レンズ群ＧＲとの間に配置されている。光路変換素子Ｐはプリズムである。光路変換素子Ｐには、屈折率が１．８以上の高屈折率硝材が用いられている。
【０１９８】
明るさ絞りＳは、光路変換素子Ｐと後側レンズ群ＧＲとの間に配置されている。より具体的には、明るさ絞りＳは、光路変換素子Ｐの像側面に設けられている。
【０１９９】
後側レンズ群ＧＲは、両凸正レンズＬ２と、両凸正レンズＬ３と、像側に凸面を向けた負メニスカスレンズＬ４と、からなる。ここで、両凸正レンズＬ３と負メニスカスレンズＬ４とで、正の屈折力を有する接合レンズを形成している。
【０２００】
両凸正レンズＬ２は、像面側に曲率半径の小さい面を向けている。接合レンズは、物体面側に曲率半径の小さい面を向けている。
【０２０１】
前側レンズ群ＧＦには、フィルタＦ１が配置されている。フィルタＦ１は、平凹負レンズＬ１と光路変換素子Ｐとの間に配置されている。後側レンズ群ＧＲには、カバーガラスＣＧ及びガラスリッドＧＬが配置されている。
【０２０２】
（実施例３）
実施例３に係る斜視対物光学系について説明する。実施例３の斜視対物光学系は、物体側から順に、負の屈折力を有する前側レンズ群ＧＦと、光路変換素子Ｐと、明るさ絞りＳと、正の屈折力を有する後側レンズ群ＧＲと、からなる。
【０２０３】
前側レンズ群ＧＦは、物体側が平面である平凹負レンズＬ１からなる。
【０２０４】
光路変換素子Ｐは、前側レンズ群ＧＦと後側レンズ群ＧＲとの間に配置されている。光路変換素子Ｐはプリズムである。光路変換素子Ｐには、屈折率が１．８以上の高屈折率硝材が用いられている。
【０２０５】
明るさ絞りＳは、光路変換素子Ｐと後側レンズ群ＧＲとの間に配置されている。より具体的には、明るさ絞りＳは、光路変換素子Ｐの像側面に設けられている。
【０２０６】
後側レンズ群ＧＲは、両凸正レンズＬ２と、両凸正レンズＬ３と、像側に凸面を向けた負メニスカスレンズＬ４と、からなる。ここで、両凸正レンズＬ３と負メニスカスレンズＬ４とで、正の屈折力を有する接合レンズを形成している。
【０２０７】
両凸正レンズＬ２は、像面側に曲率半径の小さい面を向けている。接合レンズは、物体面側に曲率半径の小さい面を向けている。
【０２０８】
前側レンズ群ＧＦには、フィルタＦ１が配置されている。フィルタＦ１は、平凹負レンズＬ１と光路変換素子Ｐとの間に配置されている。後側レンズ群ＧＲには、フィルタＦ２、カバーガラスＣＧ及びガラスリッドＧＬが配置されている。フィルタＦ２は、両凸正レンズＬ２と接合レンズとの間に配置されている。
【０２０９】
（実施例４）
実施例４に係る斜視対物光学系について説明する。実施例４の斜視対物光学系は、物体側から順に、負の屈折力を有する前側レンズ群ＧＦと、光路変換素子Ｐと、明るさ絞りＳと、正の屈折力を有する後側レンズ群ＧＲと、からなる。
【０２１０】
前側レンズ群ＧＦは、物体側が平面である平凹負レンズＬ１からなる。
【０２１１】
光路変換素子Ｐは、前側レンズ群ＧＦと後側レンズ群ＧＲとの間に配置されている。光路変換素子Ｐはプリズムである。光路変換素子Ｐには、屈折率が１．８以上の高屈折率硝材が用いられている。
【０２１２】
明るさ絞りＳは、光路変換素子Ｐと後側レンズ群ＧＲとの間に配置されている。より具体的には、明るさ絞りＳは、光路変換素子Ｐの像側面に設けられている。
【０２１３】
後側レンズ群ＧＲは、両凸正レンズＬ２と、両凸正レンズＬ３と、像側に凸面を向けた負メニスカスレンズＬ４と、からなる。ここで、両凸正レンズＬ３と負メニスカスレンズＬ４とで、正の屈折力を有する接合レンズを形成している。
【０２１４】
両凸正レンズＬ２は、像面側に曲率半径の小さい面を向けている。接合レンズは、物体面側に曲率半径の小さい面を向けている。
【０２１５】
前側レンズ群ＧＦには、フィルタＦ１が配置されている。フィルタＦ１は、平凹負レンズＬ１と光路変換素子Ｐとの間に配置されている。後側レンズ群ＧＲには、フィルタＦ２、カバーガラスＣＧ及びガラスリッドＧＬが配置されている。フィルタＦ２は、両凸正レンズＬ２と接合レンズとの間に配置されている。
【０２１６】
（実施例５）
実施例５に係る斜視対物光学系について説明する。実施例５の斜視対物光学系は、物体側から順に、負の屈折力を有する前側レンズ群ＧＦと、光路変換素子Ｐと、明るさ絞りＳと、正の屈折力を有する後側レンズ群ＧＲと、からなる。
【０２１７】
前側レンズ群ＧＦは、物体側が平面である平凹負レンズＬ１からなる。
【０２１８】
光路変換素子Ｐは、前側レンズ群ＧＦと後側レンズ群ＧＲとの間に配置されている。光路変換素子Ｐはプリズムである。光路変換素子Ｐには、屈折率が１．８以上の高屈折率硝材が用いられている。
【０２１９】
明るさ絞りＳは、光路変換素子Ｐと後側レンズ群ＧＲとの間に配置されている。より具体的には、明るさ絞りＳは、光路変換素子Ｐの像側面に設けられている。
【０２２０】
後側レンズ群ＧＲは、像側に凸面を向けた正メニスカスレンズＬ２と、両凸正レンズＬ３と、両凹負レンズＬ４と、からなる。ここで、両凸正レンズＬ３と両凹負レンズＬ４とで、正の屈折力を有する接合レンズを形成している。
【０２２１】
正メニスカスレンズＬ２は、像面側に曲率半径の小さい面を向けている。接合レンズは、物体面側に曲率半径の小さい面を向けている。
【０２２２】
前側レンズ群ＧＦには、フィルタＦ１が配置されている。フィルタＦ１は、平凹負レンズＬ１と光路変換素子Ｐとの間に配置されている。後側レンズ群ＧＲには、フィルタＦ２、カバーガラスＣＧ及びガラスリッドＧＬが配置されている。フィルタＦ２は、正メニスカスレンズＬ２と接合レンズとの間に配置されている。
【０２２３】
（実施例６）
実施例６に係る斜視対物光学系について説明する。実施例６の斜視対物光学系は、物体側から順に、負の屈折力を有する前側レンズ群ＧＦと、光路変換素子Ｐと、明るさ絞りＳと、正の屈折力を有する後側レンズ群ＧＲと、からなる。
【０２２４】
前側レンズ群ＧＦは、物体側が平面である平凹負レンズＬ１からなる。
【０２２５】
光路変換素子Ｐは、前側レンズ群ＧＦと後側レンズ群ＧＲとの間に配置されている。光路変換素子Ｐはプリズムである。光路変換素子Ｐには、屈折率が１．８以上の高屈折率硝材が用いられている。
【０２２６】
明るさ絞りＳは、光路変換素子Ｐと後側レンズ群ＧＲとの間に配置されている。より具体的には、明るさ絞りＳは、光路変換素子Ｐの像側面に設けられている。
【０２２７】
後側レンズ群ＧＲは、像側に凸面を向けた正メニスカスレンズＬ２と、両凸正レンズＬ３と、像側に凸面を向けた負メニスカスレンズＬ４と、からなる。ここで、両凸正レンズＬ３と負メニスカスレンズＬ４とで、正の屈折力を有する接合レンズを形成している。
【０２２８】
正メニスカスレンズＬ２は、像面側に曲率半径の小さい面を向けている。接合レンズは、物体面側に曲率半径の小さい面を向けている。
【０２２９】
前側レンズ群ＧＦには、フィルタＦ１が配置されている。フィルタＦ１は、平凹負レンズＬ１と光路変換素子Ｐとの間に配置されている。後側レンズ群ＧＲには、カバーガラスＣＧ及びガラスリッドＧＬが配置されている。
【０２３０】
（実施例７）
実施例７に係る斜視対物光学系について説明する。実施例７の斜視対物光学系は、物体側から順に、負の屈折力を有する前側レンズ群ＧＦと、光路変換素子Ｐと、明るさ絞りＳと、正の屈折力を有する後側レンズ群ＧＲと、からなる。
【０２３１】
前側レンズ群ＧＦは、物体側が平面である平凹負レンズＬ１からなる。
【０２３２】
光路変換素子Ｐは、前側レンズ群ＧＦと後側レンズ群ＧＲとの間に配置されている。光路変換素子Ｐはプリズムである。光路変換素子Ｐには、屈折率が１．８以上の高屈折率硝材が用いられている。
【０２３３】
明るさ絞りＳは、光路変換素子Ｐと後側レンズ群ＧＲとの間に配置されている。より具体的には、明るさ絞りＳは、光路変換素子Ｐの像側面に設けられている。
【０２３４】
後側レンズ群ＧＲは、両凸正レンズＬ２と、両凸正レンズＬ３と、像側に凸面を向けた負メニスカスレンズＬ４と、からなる。ここで、両凸正レンズＬ３と負メニスカスレンズＬ４とで、正の屈折力を有する接合レンズを形成している。
【０２３５】
両凸正レンズＬ２は、像面側に曲率半径の小さい面を向けている。接合レンズは、物体面側に曲率半径の小さい面を向けている。
【０２３６】
前側レンズ群ＧＦには、フィルタＦ１が配置されている。フィルタＦ１は、平凹負レンズＬ１と光路変換素子Ｐとの間に配置されている。後側レンズ群ＧＲには、カバーガラスＣＧ及びガラスリッドＧＬが配置されている。
【０２３７】
（実施例８）
実施例８に係る斜視対物光学系について説明する。実施例８の斜視対物光学系は、物体側から順に、負の屈折力を有する前側レンズ群ＧＦと、光路変換素子Ｐと、明るさ絞りＳと、正の屈折力を有する後側レンズ群ＧＲと、からなる。
【０２３８】
前側レンズ群ＧＦは、物体側が平面である平凹負レンズＬ１からなる。
【０２３９】
光路変換素子Ｐは、前側レンズ群ＧＦと後側レンズ群ＧＲとの間に配置されている。光路変換素子Ｐはプリズムである。光路変換素子Ｐには、屈折率が１．８以上の高屈折率硝材が用いられている。
【０２４０】
明るさ絞りＳは、光路変換素子Ｐと後側レンズ群ＧＲとの間に配置されている。より具体的には、明るさ絞りＳは、光路変換素子Ｐの像側面に設けられている。
【０２４１】
後側レンズ群ＧＲは、両凸正レンズＬ２と、両凸正レンズＬ３と、像側に凸面を向けた負メニスカスレンズＬ４と、からなる。ここで、両凸正レンズＬ３と負メニスカスレンズＬ４とで、正の屈折力を有する接合レンズを形成している。
【０２４２】
両凸正レンズＬ２は、像面側に曲率半径の小さい面を向けている。接合レンズは、物体面側に曲率半径の小さい面を向けている。
【０２４３】
前側レンズ群ＧＦには、フィルタＦ１が配置されている。フィルタＦ１は、平凹負レンズＬ１と光路変換素子Ｐとの間に配置されている。後側レンズ群ＧＲには、カバーガラスＣＧ及びガラスリッドＧＬが配置されている。
【０２４４】
（実施例９）
実施例９に係る斜視対物光学系について説明する。実施例９の斜視対物光学系は、物体側から順に、負の屈折力を有する前側レンズ群ＧＦと、光路変換素子Ｐと、明るさ絞りＳと、正の屈折力を有する後側レンズ群ＧＲと、からなる。
【０２４５】
前側レンズ群ＧＦは、物体側が平面である平凹負レンズＬ１からなる。
【０２４６】
光路変換素子Ｐは、前側レンズ群ＧＦと後側レンズ群ＧＲとの間に配置されている。光路変換素子Ｐはプリズムである。光路変換素子Ｐには、屈折率が１．８以上の高屈折率硝材が用いられている。
【０２４７】
明るさ絞りＳは、光路変換素子Ｐと後側レンズ群ＧＲとの間に配置されている。より具体的には、明るさ絞りＳは、光路変換素子Ｐの像側面に設けられている。
【０２４８】
後側レンズ群ＧＲは、像側に凸面を向けた正メニスカスレンズＬ２と、両凸正レンズＬ３と、両凹負レンズＬ４と、からなる。ここで、両凸正レンズＬ３と両凹負レンズＬ４とで、正の屈折力を有する接合レンズを形成している。
【０２４９】
正メニスカスレンズＬ２は、像面側に曲率半径の小さい面を向けている。接合レンズは、物体面側に曲率半径の小さい面を向けている。
【０２５０】
前側レンズ群ＧＦには、フィルタＦ１が配置されている。フィルタＦ１は、平凹負レンズＬ１と光路変換素子Ｐとの間に配置されている。後側レンズ群ＧＲには、カバーガラスＣＧ及びガラスリッドＧＬが配置されている。
【０２５１】
（実施例１０）
実施例１０に係る斜視対物光学系について説明する。実施例１０の斜視対物光学系は、物体側から順に、負の屈折力を有する前側レンズ群ＧＦと、光路変換素子Ｐと、明るさ絞りＳと、正の屈折力を有する後側レンズ群ＧＲと、からなる。
【０２５２】
前側レンズ群ＧＦは、物体側が平面である平凹負レンズＬ１からなる。
【０２５３】
光路変換素子Ｐは、前側レンズ群ＧＦと後側レンズ群ＧＲとの間に配置されている。光路変換素子Ｐはプリズムである。光路変換素子Ｐには、屈折率が１．８以上の高屈折率硝材が用いられている。
【０２５４】
明るさ絞りＳは、光路変換素子Ｐと後側レンズ群ＧＲとの間に配置されている。より具体的には、明るさ絞りＳは、光路変換素子Ｐの像側面に設けられている。
【０２５５】
後側レンズ群ＧＲは、両凸正レンズＬ２と、両凸正レンズＬ３と、像側に凸面を向けた負メニスカスレンズＬ４と、からなる。ここで、両凸正レンズＬ３と負メニスカスレンズＬ４とで、正の屈折力を有する接合レンズを形成している。
【０２５６】
両凸正レンズＬ２は、像面側に曲率半径の小さい面を向けている。接合レンズは、物体面側に曲率半径の小さい面を向けている。
【０２５７】
前側レンズ群ＧＦには、フィルタＦ１が配置されている。フィルタＦ１は、平凹負レンズＬ１と光路変換素子Ｐとの間に配置されている。後側レンズ群ＧＲには、カバーガラスＣＧ及びガラスリッドＧＬが配置されている。
【０２５８】
（実施例１１）
実施例１１に係る斜視対物光学系について説明する。実施例１１の斜視対物光学系は、物体側から順に、負の屈折力を有する前側レンズ群ＧＦと、光路変換素子Ｐと、明るさ絞りＳと、正の屈折力を有する後側レンズ群ＧＲと、からなる。
【０２５９】
前側レンズ群ＧＦは、物体側が平面である平凹負レンズＬ１からなる。
【０２６０】
光路変換素子Ｐは、前側レンズ群ＧＦと後側レンズ群ＧＲとの間に配置されている。光路変換素子Ｐはプリズムである。光路変換素子Ｐには、屈折率が１．５程度の低屈折率硝材が用いられている。アッベ数は６０以上と大きいので、プリズムによる色分散効果は高屈折率硝材よりも抑えられている。
【０２６１】
明るさ絞りＳは、光路変換素子Ｐと後側レンズ群ＧＲとの間に配置されている。より具体的には、明るさ絞りＳは、光路変換素子Ｐの像側面に設けられている。
【０２６２】
後側レンズ群ＧＲは、像側に凸面を向けた正メニスカスレンズＬ２と、両凸正レンズＬ３と、像側に凸面を向けた負メニスカスレンズＬ４と、からなる。ここで、両凸正レンズＬ３と負メニスカスレンズＬ４とで、正の屈折力を有する接合レンズを形成している。
【０２６３】
正メニスカスレンズＬ２は、像面側に曲率半径の小さい面を向けている。接合レンズは、物体面側に曲率半径の小さい面を向けている。
【０２６４】
前側レンズ群ＧＦには、フィルタＦ１が配置されている。フィルタＦ１は、平凹負レンズＬ１と光路変換素子Ｐとの間に配置されている。後側レンズ群ＧＲには、カバーガラスＣＧ及びガラスリッドＧＬが配置されている。
【０２６５】
（実施例１２）
実施例１２に係る斜視対物光学系について説明する。実施例１２の斜視対物光学系は、物体側から順に、負の屈折力を有する前側レンズ群ＧＦと、光路変換素子Ｐと、明るさ絞りＳと、正の屈折力を有する後側レンズ群ＧＲと、からなる。
【０２６６】
前側レンズ群ＧＦは、物体側が平面である平凹負レンズＬ１からなる。
【０２６７】
光路変換素子Ｐは、前側レンズ群ＧＦと後側レンズ群ＧＲとの間に配置されている。光路変換素子Ｐはプリズムである。光路変換素子Ｐには、屈折率が１．５程度の低屈折率硝材が用いられている。アッベ数は６０以上と大きいので、プリズムによる色分散効果は高屈折率硝材よりも抑えられている。
【０２６８】
明るさ絞りＳは、光路変換素子Ｐと後側レンズ群ＧＲとの間に配置されている。より具体的には、明るさ絞りＳは、光路変換素子Ｐの像側面に設けられている。
【０２６９】
後側レンズ群ＧＲは、像側に凸面を向けた正メニスカスレンズＬ２と、両凸正レンズＬ３と、像側に凸面を向けた負メニスカスレンズＬ４と、からなる。ここで、両凸正レンズＬ３と負メニスカスレンズＬ４とで、正の屈折力を有する接合レンズを形成している。
【０２７０】
正メニスカスレンズＬ２は、像面側に曲率半径の小さい面を向けている。接合レンズは、物体面側に曲率半径の小さい面を向けている。
【０２７１】
前側レンズ群ＧＦには、フィルタＦ１が配置されている。フィルタＦ１は、平凹負レンズＬ１と光路変換素子Ｐとの間に配置されている。後側レンズ群ＧＲには、カバーガラスＣＧ及びガラスリッドＧＬが配置されている。
【０２７２】
（実施例１３）
実施例１３に係る斜視対物光学系について説明する。実施例１３の斜視対物光学系は、物体側から順に、負の屈折力を有する前側レンズ群ＧＦと、光路変換素子Ｐと、明るさ絞りＳと、正の屈折力を有する後側レンズ群ＧＲと、からなる。
【０２７３】
前側レンズ群ＧＦは、物体側が平面である平凹負レンズＬ１からなる。
【０２７４】
光路変換素子Ｐは、前側レンズ群ＧＦと後側レンズ群ＧＲとの間に配置されている。光路変換素子Ｐはプリズムである。光路変換素子Ｐには、屈折率が１．５程度の低屈折率硝材が用いられている。アッベ数は６０以上と大きいので、プリズムによる色分散効果は高屈折率硝材よりも抑えられている。
【０２７５】
明るさ絞りＳは、光路変換素子Ｐと後側レンズ群ＧＲとの間に配置されている。より具体的には、明るさ絞りＳは、光路変換素子Ｐの像側面に設けられている。
【０２７６】
後側レンズ群ＧＲは、像側に凸面を向けた正メニスカスレンズＬ２と、両凸正レンズＬ３と、像側に凸面を向けた負メニスカスレンズＬ４と、からなる。ここで、両凸正レンズＬ３と負メニスカスレンズＬ４とで、正の屈折力を有する接合レンズを形成している。
【０２７７】
正メニスカスレンズＬ２は、像面側に曲率半径の小さい面を向けている。接合レンズは、物体面側に曲率半径の小さい面を向けている。
【０２７８】
前側レンズ群ＧＦには、フィルタＦ１が配置されている。フィルタＦ１は、平凹負レンズＬ１と光路変換素子Ｐとの間に配置されている。後側レンズ群ＧＲには、フィルタＦ２、カバーガラスＣＧ及びガラスリッドＧＬが配置されている。フィルタＦ２は、正メニスカスレンズＬ２と接合レンズとの間に配置されている。
【０２７９】
（実施例１４）
実施例１４に係る斜視対物光学系について説明する。実施例１４の斜視対物光学系は、物体側から順に、負の屈折力を有する前側レンズ群ＧＦと、光路変換素子Ｐと、明るさ絞りＳと、正の屈折力を有する後側レンズ群ＧＲと、からなる。
【０２８０】
前側レンズ群ＧＦは、物体側が平面である平凹負レンズＬ１からなる。
【０２８１】
光路変換素子Ｐは、前側レンズ群ＧＦと後側レンズ群ＧＲとの間に配置されている。光路変換素子Ｐはプリズムである。光路変換素子Ｐには、屈折率が１．５程度の低屈折率硝材が用いられている。アッベ数は６０以上と大きいので、プリズムによる色分散効果は高屈折率硝材よりも抑えられている。
【０２８２】
明るさ絞りＳは、光路変換素子Ｐと後側レンズ群ＧＲとの間に配置されている。より具体的には、明るさ絞りＳは、光路変換素子Ｐの像側面に設けられている。
【０２８３】
後側レンズ群ＧＲは、像側に凸面を向けた正メニスカスレンズＬ２と、両凸正レンズＬ３と、像側に凸面を向けた負メニスカスレンズＬ４と、からなる。ここで、両凸正レンズＬ３と負メニスカスレンズＬ４とで、正の屈折力を有する接合レンズを形成している。
【０２８４】
正メニスカスレンズＬ２は、像面側に曲率半径の小さい面を向けている。接合レンズは、物体面側に曲率半径の小さい面を向けている。
【０２８５】
前側レンズ群ＧＦには、フィルタＦ１が配置されている。フィルタＦ１は、平凹負レンズＬ１と光路変換素子Ｐとの間に配置されている。後側レンズ群ＧＲには、フィルタＦ２、カバーガラスＣＧ及びガラスリッドＧＬが配置されている。フィルタＦ２は、正メニスカスレンズＬ２と接合レンズとの間に配置されている。
【０２８６】
（実施例１５）
実施例１５に係る斜視対物光学系について説明する。実施例１５の斜視対物光学系は、物体側から順に、負の屈折力を有する前側レンズ群ＧＦと、光路変換素子Ｐと、明るさ絞りＳと、正の屈折力を有する後側レンズ群ＧＲと、からなる。
【０２８７】
前側レンズ群ＧＦは、物体側が平面である平凹負レンズＬ１からなる。
【０２８８】
光路変換素子Ｐは、前側レンズ群ＧＦと後側レンズ群ＧＲとの間に配置されている。光路変換素子Ｐはプリズムである。光路変換素子Ｐには、屈折率が１．８以上の高屈折率硝材が用いられている。
【０２８９】
明るさ絞りＳは、光路変換素子Ｐと後側レンズ群ＧＲとの間に配置されている。より具体的には、明るさ絞りＳは、光路変換素子Ｐの像側面に設けられている。
【０２９０】
後側レンズ群ＧＲは、像側に凸面を向けた正メニスカスレンズＬ２と、両凸正レンズＬ３と、像側に凸面を向けた負メニスカスレンズＬ４と、からなる。ここで、両凸正レンズＬ３と負メニスカスレンズＬ４とで、正の屈折力を有する接合レンズを形成している。
【０２９１】
正メニスカスレンズＬ２は、像面側に曲率半径の小さい面を向けている。接合レンズは、物体面側に曲率半径の小さい面を向けている。
【０２９２】
前側レンズ群ＧＦには、フィルタＦ１とフィルタＦ２が配置されている。フィルタＦ１とフィルタＦ２は、平凹負レンズＬ１と光路変換素子Ｐとの間に配置されている。後側レンズ群ＧＲには、フィルタＦ３、カバーガラスＣＧ及びガラスリッドＧＬが配置されている。フィルタＦ３は、正メニスカスレンズＬ２と接合レンズとの間に配置されている。
【０２９３】
（実施例１６）
実施例１６に係る斜視対物光学系について説明する。実施例１６の斜視対物光学系は、物体側から順に、負の屈折力を有する前側レンズ群ＧＦと、光路変換素子Ｐと、明るさ絞りＳと、正の屈折力を有する後側レンズ群ＧＲと、からなる。
【０２９４】
前側レンズ群ＧＦは、物体側が平面である平凹負レンズＬ１からなる。
【０２９５】
光路変換素子Ｐは、前側レンズ群ＧＦと後側レンズ群ＧＲとの間に配置されている。光路変換素子Ｐはプリズムである。光路変換素子Ｐには、屈折率が１．８以上の高屈折率硝材が用いられている。
【０２９６】
明るさ絞りＳは、光路変換素子Ｐと後側レンズ群ＧＲとの間に配置されている。より具体的には、明るさ絞りＳは、光路変換素子Ｐの像側面に設けられている。
【０２９７】
後側レンズ群ＧＲは、像側に凸面を向けた正メニスカスレンズＬ２と、両凸正レンズＬ３と、像側に凸面を向けた負メニスカスレンズＬ４と、からなる。ここで、両凸正レンズＬ３と負メニスカスレンズＬ４とで、正の屈折力を有する接合レンズを形成している。
【０２９８】
正メニスカスレンズＬ２は、像面側に曲率半径の小さい面を向けている。接合レンズは、物体面側に曲率半径の小さい面を向けている。
【０２９９】
前側レンズ群ＧＦには、フィルタＦ１とフィルタＦ２が配置されている。フィルタＦ１とフィルタＦ２は、平凹負レンズＬ１と光路変換素子Ｐとの間に配置されている。後側レンズ群ＧＲには、フィルタＦ３、カバーガラスＣＧ及びガラスリッドＧＬが配置されている。フィルタＦ３は、正メニスカスレンズＬ２と接合レンズとの間に配置されている。
【０３００】
（実施例１７）
実施例１７に係る斜視対物光学系について説明する。実施例１７の斜視対物光学系は、物体側から順に、負の屈折力を有する前側レンズ群ＧＦと、光路変換素子Ｐと、明るさ絞りＳと、正の屈折力を有する後側レンズ群ＧＲと、からなる。
【０３０１】
前側レンズ群ＧＦは、物体側が平面である平凹負レンズＬ１からなる。
【０３０２】
光路変換素子Ｐは、前側レンズ群ＧＦと後側レンズ群ＧＲとの間に配置されている。光路変換素子Ｐはプリズムである。光路変換素子Ｐには、屈折率が１．８以上の高屈折率硝材が用いられている。
【０３０３】
明るさ絞りＳは、光路変換素子Ｐと後側レンズ群ＧＲとの間に配置されている。より具体的には、明るさ絞りＳは、光路変換素子Ｐの像側面に設けられている。
【０３０４】
後側レンズ群ＧＲは、両凸正レンズＬ２と、両凸正レンズＬ３と、像側に凸面を向けた負メニスカスレンズＬ４と、からなる。ここで、両凸正レンズＬ３と負メニスカスレンズＬ４とで、正の屈折力を有する接合レンズを形成している。
【０３０５】
両凸正レンズＬ２は、像面側に曲率半径の小さい面を向けている。接合レンズは、物体面側に曲率半径の小さい面を向けている。
【０３０６】
前側レンズ群ＧＦには、フィルタＦ１とフィルタＦ２が配置されている。フィルタＦ１とフィルタＦ２は、平凹負レンズＬ１と光路変換素子Ｐとの間に配置されている。後側レンズ群ＧＲには、フィルタＦ３、カバーガラスＣＧ及びガラスリッドＧＬが配置されている。フィルタＦ３は、両凸正レンズＬ２と接合レンズとの間に配置されている。
【０３０７】
（実施例１８）
実施例１８に係る斜視対物光学系について説明する。実施例１８の斜視対物光学系は、物体側から順に、負の屈折力を有する前側レンズ群ＧＦと、光路変換素子Ｐと、明るさ絞りＳと、正の屈折力を有する後側レンズ群ＧＲと、からなる。
【０３０８】
前側レンズ群ＧＦは、物体側が平面である平凹負レンズＬ１からなる。
【０３０９】
光路変換素子Ｐは、前側レンズ群ＧＦと後側レンズ群ＧＲとの間に配置されている。光路変換素子Ｐはプリズムである。光路変換素子Ｐには、屈折率が１．８以上の高屈折率硝材が用いられている。
【０３１０】
明るさ絞りＳは、光路変換素子Ｐと後側レンズ群ＧＲとの間に配置されている。より具体的には、明るさ絞りＳは、光路変換素子Ｐの像側面に設けられている。
【０３１１】
後側レンズ群ＧＲは、両凸正レンズＬ２と、両凸正レンズＬ３と、像側に凸面を向けた負メニスカスレンズＬ４と、からなる。ここで、両凸正レンズＬ３と負メニスカスレンズＬ４とで、正の屈折力を有する接合レンズを形成している。
【０３１２】
両凸正レンズＬ２は、像面側に曲率半径の小さい面を向けている。接合レンズは、物体面側に曲率半径の小さい面を向けている。
【０３１３】
前側レンズ群ＧＦには、フィルタＦ１とフィルタＦ２が配置されている。フィルタＦ１とフィルタＦ２は、平凹負レンズＬ１と光路変換素子Ｐとの間に配置されている。後側レンズ群ＧＲには、フィルタＦ３、カバーガラスＣＧ及びガラスリッドＧＬが配置されている。フィルタＦ３は、両凸正レンズＬ２と接合レンズとの間に配置されている。
【０３１４】
（実施例１９）
実施例１９に係る斜視対物光学系について説明する。実施例１９の斜視対物光学系は、物体側から順に、負の屈折力を有する前側レンズ群ＧＦと、光路変換素子Ｐと、明るさ絞りＳと、正の屈折力を有する後側レンズ群ＧＲと、からなる。
【０３１５】
前側レンズ群ＧＦは、物体側が平面である平凹負レンズＬ１からなる。
【０３１６】
光路変換素子Ｐは、前側レンズ群ＧＦと後側レンズ群ＧＲとの間に配置されている。光路変換素子Ｐはプリズムである。光路変換素子Ｐには、屈折率が１．８以上の高屈折率硝材が用いられている。
【０３１７】
明るさ絞りＳは、光路変換素子Ｐと後側レンズ群ＧＲとの間に配置されている。より具体的には、明るさ絞りＳは、光路変換素子Ｐの像側面に設けられている。
【０３１８】
後側レンズ群ＧＲは、両凸正レンズＬ２と、両凸正レンズＬ３と、像側に凸面を向けた負メニスカスレンズＬ４と、からなる。ここで、両凸正レンズＬ３と負メニスカスレンズＬ４とで、正の屈折力を有する接合レンズを形成している。
【０３１９】
両凸正レンズＬ２は、像面側に曲率半径の小さい面を向けている。接合レンズは、物体面側に曲率半径の小さい面を向けている。
【０３２０】
前側レンズ群ＧＦには、フィルタＦ１とフィルタＦ２が配置されている。フィルタＦ１とフィルタＦ２は、平凹負レンズＬ１と光路変換素子Ｐとの間に配置されている。後側レンズ群ＧＲには、カバーガラスＣＧ及びガラスリッドＧＬが配置されている。
【０３２１】
本実施例に係る斜視対物光学系では、画角を１００度から１４０度というように広角化に対応しながら、Ｆナンバーが３程度というように、明るく高性能な斜視対物光学系になっている。
【０３２２】
以上説明したように、各実施例の斜視対物光学系は、プリズムの物体側に配置された前側レンズ群と、プリズムの像側に配置された後側レンズ群と、を有し、前側レンズ群は負の屈折力を有すると共に、前側負レンズから構成され、後側レンズ群は正の屈折力を有すると共に、後側正レンズと、正の屈折力を有する接合レンズと、から構成され、明るさ絞りをプリズムと後側レンズ群との間に具備する。
【０３２３】
各実施例の斜視対物光学系は、撮像素子の小型化および多画素化に対応して光学性能を向上させた最適なレンズ構成を有し、この構成によって、内視鏡先端部の細径化にも寄与し得る。更に、各実施例の斜視対物光学系は、各条件式を満足しているため、諸収差が良好に補正されている。
【０３２４】
以下に、上記各実施例の数値データを示す。面データにおいて、ｒは各面の曲率半径、ｄは各光学部材の肉厚または空気間隔、ｎｄは各光学部材のｄ線に対する屈折率、νｄは各光学部材のｄ線に対するアッベ数である。各種データにおいて、ＩＨは像高、ωは半画角、Ｆｎｏは斜視対物光学系のＦナンバー、ｆは斜視対物光学系の全系の焦点距離、ｆ２は後側正レンズの焦点距離、ｆ３は後側レンズ群の接合レンズの焦点距離、ｆＲは後側レンズ群の焦点距離、ｆＦは前側レンズ群の焦点距離、Ｄ１は前側負レンズの像側面から明るさ絞りまでの空気換算長、Ｄ２は後側レンズ群の最終レンズの像側面から像面までの空気換算長、Ｒ２は後側正レンズの像側面の曲率半径、Ｒ３は接合レンズの物体側面の曲率半径を表している。また、ｒ、ｄ、ＩＨ、空気換算長および各焦点距離の単位はｍｍ、半画角ωの単位は°である。また、ｆは１ｍｍに規格化されている。
【０３２５】
数値実施例１
単位  ｍｍ
面データ
面番号       r             d          nd       νd
1         ∞          0.7564    1.88300    40.76
2        1.6000       1.2668
3         ∞          0.7564    1.51633    64.14
4         ∞          0.0756
5         ∞          4.3816    1.88300    40.76
6         ∞          0
7(絞り)   ∞          0.2458
8       13.7053       1.8742    1.80440    39.59
9       -5.0830       0.1135
10         ∞          0.7564    1.49400    75.00
11         ∞          0.2843
12        3.4026       2.2065    1.81600    46.62
13       -1.9755       0.6178    1.92286    18.90
14     -140.6763       0.9315
15         ∞          0.8510    1.51633    64.14
16         ∞          0.0189    1.51300    64.00
17         ∞          0.6619    1.50510    63.26
18         ∞          0
(像面)       ∞
各種データ
ＩＨ            0.764
ω             49.391
Ｆｎｏ          2.972
ｆ              1
ｆ２            4.824
ｆＲ            2.678
ｆＦ           -1.812
ｆ３            4.861
Ｄ１            4.168
Ｄ２            1.945
【０３２６】
数値実施例２
単位  ｍｍ
面データ
面番号       r             d           nd       νd
1         ∞          0.7602     1.88300    40.76
2        1.6454       1.2746
3         ∞          0.7602     1.49400    75.00
4         ∞          0.0760
5         ∞          4.4033     1.88300    40.76
6         ∞          0
7(絞り)   ∞          0.2470
8       16.6488       1.8025     1.78590    44.20
9       -4.9572       1.4197
10        3.3971       2.2235     1.81600    46.62
11       -2.0221       0.6323     1.92286    18.90
12      -26.4408       0.8774
13         ∞          0.8552     1.51633    64.14
14         ∞          0.0190     1.51300    64.00
15         ∞          0.6651     1.50510    63.26
16         ∞          0
(像面)       ∞
各種データ
ＩＨ            0.768
ω             50.061
Ｆｎｏ          2.91
ｆ              1
ｆ２            5.046
ｆＲ            2.847
ｆＦ           -1.863
ｆ３            4.44
Ｄ１            4.198
Ｄ２            1.896
【０３２７】
数値実施例３
単位  ｍｍ
面データ
面番号       r             d            nd       νd
1         ∞          0.7575      1.88300    40.76
2        1.5860       1.1565 
3         ∞          0.7575      1.51633    64.14
4         ∞          0.0758
5         ∞          4.3881      1.88300    40.76
6         ∞          0
7(絞り)   ∞          0.2462
8       14.0674       1.9849      1.83400    37.16
9       -5.2264       0.1136
10         ∞          0.7575      1.49400    75.00
11         ∞          0.1337
12        3.4747       2.0732      1.81600    46.62
13       -2.0212       0.6210      1.92286    18.90
14      -60.0097       1.0559
15         ∞          0.8522      1.51633    64.14
16         ∞          0.0189      1.51300    64.00
17         ∞          0.6629      1.50510    63.26
18         ∞          0
(像面)       ∞
各種データ
ＩＨ            0.765
ω             49.38
Ｆｎｏ          2.841
ｆ              1
ｆ２            4.793
ｆＲ            2.652
ｆＦ           -1.796
ｆ３            4.844
Ｄ１            4.062
Ｄ２            2.071
【０３２８】
数値実施例４
単位  ｍｍ
面データ
面番号       r             d            nd       νd
1         ∞          0.7564      1.88300    40.76
2        1.6000       1.2668
3         ∞          0.7564      1.51633    64.14
4         ∞          0.0756
5         ∞          4.3816      1.88300    40.76
6         ∞          0
7(絞り)   ∞          0.2458
8       13.7053       1.8742      1.80440    39.59
9       -5.0830       0.1135
10         ∞          0.7564      1.49400    75.00
11         ∞          0.2843
12        3.4026       2.2065      1.81600    46.62
13       -1.9755       0.6178      1.92286    18.90
14     -140.6763       0.9315
15         ∞          0.8510      1.51633    64.14
16         ∞          0.0189      1.51300    64.00
17         ∞          0.6619      1.50510    63.26
18         ∞          0
(像面)       ∞
各種データ
ＩＨ            0.764
ω             47.883
Ｆｎｏ          2.972
ｆ              1
ｆ２            4.824
ｆＲ            2.678
ｆＦ           -1.812
ｆ３            4.861
Ｄ１            4.168
Ｄ２            1.945
【０３２９】
数値実施例５
単位  ｍｍ
面データ
面番号       r             d            nd       νd
1         ∞          0.8608      1.88300    40.76
2        1.8052       2.0231
3         ∞          0.8608      1.51633    64.14
4         ∞          0.0861
5         ∞          4.9864      1.88300    40.76
6         ∞          0
7(絞り)   ∞          0.2798
8      -64.9586       1.8411      1.67270    32.10
9       -4.4125       0.1291
10         ∞          0.8608      1.49400    75.00
11         ∞          0.1722
12        3.3787       2.6010      1.81600    46.62
13       -2.1443       0.7108      1.92286    18.90
14      103.7037       1.0654
15         ∞          0.9684      1.51633    64.14
16         ∞          0.0215      1.51300    64.00
17         ∞          0.7532      1.50510    63.26
18         ∞          0
(像面)       ∞
各種データ
ＩＨ            0.869
ω             61.076
Ｆｎｏ          2.847
ｆ              1
ｆ２            6.952
ｆＲ            2.969
ｆＦ           -2.044
ｆ３            4.907
Ｄ１            5.325
Ｄ２            2.219
【０３３０】
数値実施例６
単位  ｍｍ
面データ
面番号       r             d            nd       νd
1         ∞          0.9488      1.88300    40.76
2        2.1759       2.8684
3         ∞          0.9488      1.49400    75.00
4         ∞          0.0949
5         ∞          5.4956      1.88300    40.76
6         ∞          0
7(絞り)   ∞          0.7828
8      -45.4040       2.0647      1.74951    35.33
9       -6.0187       0.3321
10        3.6104       3.6307      1.78800    47.37
11       -1.9256       0.7122      1.92286    18.90
12      -20.0410       0.8901
13         ∞          0.8302      1.51633    64.14
14         ∞          0.0237      1.51300    64.00
15         ∞          0.8302      1.50510    63.26
16         ∞          0
(像面)       ∞
各種データ
ＩＨ            0.958
ω             75.101
Ｆｎｏ          3.094
ｆ              1
ｆ２            9.054
ｆＲ            3.205
ｆＦ           -2.464
ｆ３            4.954
Ｄ１            6.517
Ｄ２            2.005
【０３３１】
数値実施例７
単位  ｍｍ
面データ
面番号       r             d            nd       νd
1         ∞          0.8941      1.88300    40.76
2        1.8862       2.3248
3         ∞          0.8941      1.49400    75.00
4         ∞          0.0894
5         ∞          5.1793      1.88300    40.76
6         ∞          0
7(絞り)   ∞          0.7377
8       22.3930       2.0707      1.74951    35.33
9       -6.3003       0.3129
10        3.2036       3.0310      1.72916    54.68
11       -2.1567       0.6696      1.92286    18.90
12     -124.5527       0.9246
13         ∞          0.7824      1.51633    64.14
14         ∞          0.0224      1.51300    64.00
15         ∞          0.7824      1.50510    63.26
16         ∞          0
(像面)       ∞
各種データ
ＩＨ            0.903
ω             65.641
Ｆｎｏ          3.037
ｆ              1
ｆ２            6.77
ｆＲ            3.021
ｆＦ           -2.136
ｆ３            5.63
Ｄ１            5.763
Ｄ２            1.975
【０３３２】
数値実施例８
単位  ｍｍ
面データ
面番号       r             d            nd       νd
1         ∞          0.9198      1.88300    40.76
2        2.0130       2.3894
3         ∞          0.9198      1.49400    75.00
4         ∞          0.0920
5         ∞          5.3277      1.88300    40.76
6         ∞          0
7(絞り)   ∞          0.7077
8       23.3766       2.1237      1.74951    35.33
9       -6.3372       0.3219
10        3.6903       3.0776      1.81600    46.62
11       -2.2970       0.6975      1.95906    17.47
12     -124.4099       0.9125
13         ∞          0.8048      1.51633    64.14
14         ∞          0.0230      1.51300    64.00
15         ∞          0.8048      1.50510    63.26
16         ∞          0
(像面)       ∞
各種データ
ＩＨ            0.929
ω             69.048
Ｆｎｏ          3.036
ｆ              1
ｆ２            6.862
ｆＲ            3.037
ｆＦ           -2.28
ｆ３            5.362
Ｄ１            5.926
Ｄ２            1.993
【０３３３】
数値実施例９
単位  ｍｍ
面データ
面番号       r             d            nd       νd
1         ∞          0.9119      1.88300    40.76
2        2.0010       2.3691
3         ∞          0.9119      1.49400    75.00
4         ∞          0.0912
5         ∞          5.2823      1.88300    40.76
6         ∞          0
7(絞り)   ∞          0.7523
8     -178.8595       2.1299      1.80100    34.97
9       -5.7106       0.3192
10        3.4296       3.1866      1.78800    47.37
11       -2.2888       0.6954      1.95906    17.47
12      196.5563       0.9072
13         ∞          0.7979      1.51633    64.14
14         ∞          0.0228      1.51300    64.00
15         ∞          0.7979      1.50510    63.26
16         ∞          0
(像面)       ∞
各種データ
ＩＨ            0.921
ω             68.023
Ｆｎｏ          3.056
ｆ              1
ｆ２            7.324
ｆＲ            3.01
ｆＦ           -2.266
ｆ３            5.462
Ｄ１            5.876
Ｄ２            1.979
【０３３４】
数値実施例１０
単位  ｍｍ
面データ
面番号       r             d            nd       νd
1         ∞          0.9241      1.88300    40.76
2        2.0061       2.4018
3         ∞          0.9241      1.49400    75.00
4         ∞          0.0924
5         ∞          5.3528      1.88300    40.76
6         ∞          0
7(絞り)   ∞          0.6361
8       48.2189       1.9861      1.64769    33.79
9       -5.0829       0.3234
10        3.6170       3.1463      1.81600    46.62
11       -2.2574       0.6963      1.95906    17.47
12     -326.5107       0.9252
13         ∞          0.8086      1.51633    64.14
14         ∞          0.0231      1.51300    64.00
15         ∞          0.8086      1.50510    63.26
16         ∞          0
(像面)       ∞
各種データ
ＩＨ            0.933
ω             69.762
Ｆｎｏ          3.04
ｆ              1
ｆ２            7.205
ｆＲ            3.028
ｆＦ           -2.272
ｆ３            5.302
Ｄ１            5.955
Ｄ２            2.011
【０３３５】
数値実施例１１
単位  ｍｍ
面データ
面番号       r             d            nd       νd
1         ∞          0.9305      1.88300    40.76
2        2.2252       2.4195
3         ∞          0.9305      1.49400    75.00
4         ∞          0.0931
5         ∞          5.3901      1.51633    64.14
6         ∞          0
7(絞り)   ∞          0.5351
8       -8.7194       1.2523      1.80518    25.42
9       -4.5264       0.3257
10        2.6229       3.2937      1.65160    58.55
11       -1.6227       0.6967      1.95906    17.47
12       -6.2315       0.8410
13         ∞          0.8142      1.51633    64.14
14         ∞          0.0233      1.51300    64.00
15         ∞          0.8142      1.50510    63.26
16         ∞          0
(像面)       ∞
各種データ
ＩＨ            0.94
ω             69.739
Ｆｎｏ          3.045
ｆ              1
ｆ２           10.316
ｆＲ            3.069
ｆＦ           -2.52
ｆ３            4.502
Ｄ１            6.69
Ｄ２            1.934
【０３３６】
数値実施例１２
単位  ｍｍ
面データ
面番号       r             d            nd       νd
1         ∞          0.8813      1.88300    40.76
2        2.1197       2.2871
3         ∞          0.8813      1.49400    75.00
4         ∞          0.0881
5         ∞          5.1052      1.51633    64.14
6         ∞          0
7(絞り)   ∞          0.5068
8      -15.7484       1.2034      1.69895    30.13
9       -4.4326       0.3085
10        2.3055       3.0799      1.58913    61.14
11       -1.4961       0.6603      1.95906    17.47
12       -5.2306       0.7402
13         ∞          0.7712      1.51633    64.14
14         ∞          0.0220      1.51300    64.00
15         ∞          0.7712      1.50510    63.26
16         ∞          0
(像面)       ∞
各種データ
ＩＨ            0.89
ω             62.311
Ｆｎｏ          3.084
ｆ              1
ｆ２            8.456
ｆＲ            2.974
ｆＦ           -2.401
ｆ３            4.647
Ｄ１            6.332
Ｄ２            1.776
【０３３７】
数値実施例１３
単位  ｍｍ
面データ
面番号       r             d            nd       νd
1         ∞          0.8720      1.88300    40.76
2        1.9912       2.2638
3         ∞          0.8720      1.51633    64.14
4         ∞          0.0872
5         ∞          5.0512      1.51633    64.14
6         ∞          0
7(絞り)   ∞          0.5014
8      -31.3613       1.1614      1.62004    36.26
9       -4.1050       0.1308
10         ∞          0.8720      1.49400    75.00
11         ∞          0.1744
12        2.4489       3.1349      1.58913    61.14
13       -1.6945       0.6534      1.95906    17.47
14       -6.1436       0.7227
15         ∞          0.7630      1.51633    64.14
16         ∞          0.0218      1.51300    64.00
17         ∞          0.7630      1.50510    63.26
18         ∞          0
(像面)       ∞
各種データ
ＩＨ            0.881
ω             62.428
Ｆｎｏ          3.234
ｆ              1
ｆ２            7.495
ｆＲ            3.123
ｆＦ           -2.255
ｆ３            4.967
Ｄ１            6.257
Ｄ２            1.747
【０３３８】
数値実施例１４
単位  ｍｍ
面データ
面番号       r             d           nd       νd
1         ∞          0.9185     1.88300    40.76
2        2.1470       2.7770
3         ∞          0.9185     1.51633    64.14
4         ∞          0.0919
5         ∞          5.3206     1.51633    64.14
6         ∞          0
7(絞り)   ∞          0.5282
8      -12.6022       1.3621     1.83400    37.16
9       -4.7377       0.1378
10         ∞          0.9185     1.49400    75.00
11         ∞          0.1837
12        2.6101       3.4414     1.58913    61.14
13       -1.7555       0.6881     1.95906    17.47
14       -5.8965       0.7126
15         ∞          0.8037     1.51633    64.14
16         ∞          0.0230     1.51300    64.00
17         ∞          0.8037     1.50510    63.26
18         ∞          0
(像面)       ∞
各種データ
ＩＨ            0.928
ω             69.563
Ｆｎｏ          3.034
ｆ              1
ｆ２            8.438
ｆＲ            3.296
ｆＦ           -2.432
ｆ３            5.144
Ｄ１            6.984
Ｄ２            1.792
【０３３９】
数値実施例１５
単位  ｍｍ
面データ
面番号       r             d            nd       νd
1         ∞          0.5780      1.88300    40.78
2        1.5818       1.0156
3         ∞          0.7707      1.51633    64.14
4         ∞          0.0578
5         ∞          1.2235      1.88300    40.76
6         ∞          0.0963
7         ∞          4.2697      1.88300    40.76
8         ∞          0
9(絞り)   ∞          0.4432
10     -145.9646       1.4388      1.80400    46.58
11       -3.9010       0.0963
12         ∞          0.7707      1.49400    75.00
13         ∞          0.2324
14        2.2305       2.4741      1.49700    81.54
15       -2.0320       0.5760      1.95906    17.47
16       -6.5656       0.9525
17         ∞          0.6744      1.51633    64.14
18         ∞          0.0193      1.51300    64.00
19         ∞          0.6744      1.50510    63.26
20         ∞          0
(像面)       ∞
各種データ
ＩＨ            0.865
ω             59.893
Ｆｎｏ          3.148
ｆ              1
ｆ２            4.963
ｆＲ            2.802
ｆＦ           -1.791
ｆ３            5.951
Ｄ１            4.595
Ｄ２            1.858
【０３４０】
数値実施例１６
単位  ｍｍ
面データ
面番号       r             d            nd       νd
1         ∞          0.5925      1.88300    40.78
2        1.7485       1.2220
3         ∞          0.7900      1.51633    64.14
4         ∞          0.0592
5         ∞          1.2541      1.88300    40.76
6         ∞          0.0987
7         ∞          4.3766      1.88300    40.76
8         ∞          0
9(絞り)   ∞          0.6517
10       12.3630       1.5498      1.75500    52.32
11       -4.7631       0.0987
12         ∞          0.7900      1.49400    75.00
13         ∞          0.1605
14        2.3708       2.4200      1.49700    81.54
15       -2.1423       0.5907      1.95906    17.47
16       -6.2943       0.7643
17         ∞          0.6912      1.51633    64.14
18         ∞          0.0197      1.51300    64.00
19         ∞          0.6912      1.50510    63.26
20         ∞          0
(像面)       ∞
各種データ
ＩＨ            0.887
ω             62.431
Ｆｎｏ          3.195
ｆ              1
ｆ２            4.739
ｆＲ            2.874
ｆＦ           -1.98
ｆ３            6.072
Ｄ１            4.891
Ｄ２            1.693
【０３４１】
数値実施例１７
単位  ｍｍ
面データ
面番号       r             d            nd       νd
1         ∞          0.5916      1.88300    40.78
2        1.7276       1.2270
3         ∞          0.7889      1.51633    64.14
4         ∞          0.0592
5         ∞          1.2523      1.88300    40.76
6         ∞          0.0986
7         ∞          4.3702      1.88300    40.76
8         ∞          0
9(絞り)   ∞          0.6508
10       39.0679       1.5518      1.78800    47.37
11       -4.3911       0.0986
12         ∞          0.7889      1.49400    75.00
13         ∞          0.1581
14        2.2894       2.6213      1.49700    81.54
15       -2.0170       0.5897      1.95906    17.47
16       -6.3239       0.7699
17         ∞          0.6902      1.51633    64.14
18         ∞          0.0197      1.51300    64.00
19         ∞          0.6902      1.50510    63.26
20         ∞          0
(像面)       ∞
各種データ
ＩＨ            0.885
ω             62.38
Ｆｎｏ          3.117
ｆ              1
ｆ２            5.089
ｆＲ            2.875
ｆＦ           -1.957
ｆ３            6.036
Ｄ１            4.891
Ｄ２            1.697
【０３４２】
数値実施例１８
単位  ｍｍ
面データ
面番号       r             d            nd       νd
1         ∞          0.5897      1.88300    40.78
2        1.7275       1.2287
3         ∞          0.7863      1.51633    64.14
4         ∞          0.0590
5         ∞          1.2483      1.88300    40.76
6         ∞          0.0983
7         ∞          4.3562      1.88300    40.76
8         ∞          0
9(絞り)   ∞          0.6487
10      133.8224       1.6139      1.83481    42.73
11       -4.4275       0.0983
12         ∞          0.7863      1.49400    75.00
13         ∞          0.1672
14        2.2473       2.6028      1.49700    81.54
15       -2.0260       0.5871      1.95906    17.47
16       -6.8495       0.7971
17         ∞          0.6880      1.51633    64.14
18         ∞          0.0197      1.51300    64.00
19         ∞          0.6880      1.50510    63.26
20         ∞          0
(像面)       ∞
各種データ
ＩＨ            0.883
ω             62.175
Ｆｎｏ          3.123
ｆ              1
ｆ２            5.161
ｆＲ            2.86
ｆＦ           -1.956
ｆ３            6.113
Ｄ１            4.881
Ｄ２            1.721
【０３４３】
数値実施例１９
単位  ｍｍ
面データ
面番号       r             d            nd       νd
1         ∞          0.5927      1.88300    40.78
2        1.7277       1.2468
3         ∞          0.7902      1.49400    75.00
4         ∞          0.0593
5         ∞          1.2545      1.88300    40.76
6         ∞          0.0988
7         ∞          4.3778      1.88300    40.76
8         ∞          0
9(絞り)   ∞          0.6520
10      101.7710       1.7446      1.88300    40.76
11       -4.6751       0.2923
12        2.2477       2.6232      1.49700    81.54
13       -2.0368       0.5897      1.95906    17.47
14       -8.8045       0.8458
15         ∞          0.6914      1.51633    64.14
16         ∞          0.0198      1.51300    64.00
17         ∞          0.6914      1.50510    63.26
18         ∞          0
(像面)       ∞
各種データ
ＩＨ            0.887
ω             62.109
Ｆｎｏ          3.131
ｆ              1
ｆ２            5.101
ｆＲ            2.746
ｆＦ           -1.957
ｆ３            6.84
Ｄ１            4.925
Ｄ２            1.774
【０３４４】
次に、各実施例における条件式の値を以下に掲げる。
条件式      実施例１    実施例２    実施例３    実施例４
(1)f2/f      4.824       5.046       4.793       4.824
(2)f3/f2     1.008       0.88        1.011       1.008
(3)fR/f      2.678       2.847       2.652       2.678
(4)fF/f     -1.812      -1.863      -1.796      -1.812
(5)f3/f      4.861       4.44        4.844       4.861
(6)D1/f      4.168       4.198       4.062       4.168
(7)D2/f      1.945       1.896       2.071       1.945
(8)fF/fR    -0.677      -0.655      -0.677      -0.677
(9)|R3/R2|   0.669       0.685       0.665       0.669
条件式      実施例５    実施例６    実施例７    実施例８
(1)f2/f      6.952       9.054       6.77        6.862
(2)f3/f2     0.706       0.547       0.832       0.781
(3)fR/f      2.969       3.205       3.021       3.037
(4)fF/f     -2.044      -2.464      -2.136      -2.28
(5)f3/f      4.907       4.954       5.63        5.362
(6)D1/f      5.325       6.517       5.763       5.926
(7)D2/f      2.219       2.005       1.975       1.993
(8)fF/fR    -0.689      -0.769      -0.707      -0.751
(9)|R3/R2|   0.766       0.6         0.508       0.582
条件式      実施例９    実施例１０  実施例１１  実施例１２
(1)f2/f      7.324       7.205      10.316       8.456
(2)f3/f2     0.746       0.736       0.436       0.55
(3)fR/f      3.01        3.028       3.069       2.974
(4)fF/f     -2.266      -2.272      -2.52       -2.401
(5)f3/f      5.462       5.302       4.502       4.647
(6)D1/f      5.876       5.955       6.69        6.332
(7)D2/f      1.979       2.011       1.934       1.776
(8)fF/fR    -0.753      -0.75       -0.821      -0.807
(9)|R3/R2|   0.601       0.712       0.579       0.52
条件式      実施例１３  実施例１４  実施例１５  実施例１６
(1)f2/f      7.495       8.438       4.963       4.739
(2)f3/f2     0.663       0.61        1.199       1.281
(3)fR/f      3.123       3.296       2.802       2.874
(4)fF/f     -2.255      -2.432      -1.791      -1.98
(5)f3/f      4.967       5.144       5.951       6.072
(6)D1/f      6.257       6.984       4.595       4.891
(7)D2/f      1.747       1.792       1.858       1.693
(8)fF/fR    -0.722      -0.738      -0.639      -0.689
(9)|R3/R2|   0.597       0.551       0.572       0.498
条件式      実施例１７  実施例１８  実施例１９
(1)f2/f      5.089       5.161       5.101
(2)f3/f2     1.186       1.184       1.341
(3)fR/f      2.875       2.86        2.746
(4)fF/f     -1.957      -1.956      -1.957
(5)f3/f      6.036       6.113       6.84
(6)D1/f      4.891       4.881       4.925
(7)D2/f      1.697       1.721       1.774
(8)fF/fR    -0.68       -0.684      -0.713
(9)|R3/R2|   0.521       0.508       0.481
【０３４５】
図２４は、本実施形態の斜視対物光学系を用いた内視鏡装置の構成例である。内視鏡装置２０は、斜視用内視鏡２１（以下、「内視鏡２１」という）と、ビデオプロセッサ２２と、モニタ２３と、を備える。内視鏡２１は、挿入部２１ａと信号ケーブル２１ｂとを備える。挿入部２１ａの先端には、斜視対物光学系２４が配置されている。斜視対物光学系２４は、ここでは、前方視観察用の斜視対物光学系である。この斜視対物光学系２４には、実施例１乃至実施例１９のいずれかの斜視対物光学系が用いられる。
【０３４６】
また、ここでは図示していないが、この斜視対物光学系２４の近傍には、被写体２５を照明するための照明光学系が配置されている。この照明光学系は、光源と、照明光学素子と、光ファイバーバンドルと、を有する。光源としては、例えば、発光ダイオード（ＬＥＤ:Light  Emitting  Diode）やレーザダイオード（ＬＤ:Laser  Diode）の発光素子がある。照明光学素子としては、例えば、レンズ素子がある。レンズ素子は、照明光を拡散又は集光する機能を備えている。光ファイバーバンドルは、照明光を内視鏡２１に伝送する。
【０３４７】
また、内視鏡２１は信号ケーブル２１ｂを介して、ビデオプロセッサ２２に接続されている。斜視対物光学系２４によって結像された被写体２５の像は、撮像素子で撮像される。撮像された被写体２５の像は、ビデオプロセッサ２２に内蔵された電気回路系によって映像信号に変換される。映像信号に基づいて、モニタ２３上に被写体の画像２６が表示される。
【０３４８】
なお、このビデオプロセッサ２２の内部には、ＬＥＤ等の光源を駆動する電気回路系が
設けられている。
【０３４９】
また、ＬＥＤやＬＤなどの発光素子を内視鏡２１内に設けることで、内視鏡２１の外部に光源を設ける必要がなくなる。さらに、これら発光素子を内視鏡２１の先端部に設けることで、照明光を伝送する光ファイバーバンドルを設ける必要がなくなる。
【０３５０】
さらに、光源については、キセノンランプやハロゲンランプ等を用いても良い。また、内視鏡装置２０では、光源を内蔵した光源装置がビデオプロセッサ２２と一体になっている。しかしながら、光源装置はビデオプロセッサ２２と別体に構成されていても良い。この場合、光源装置とビデオプロセッサ２２は、内視鏡２１と各々接続されることになる。
【０３５１】
以上の説明のように、本発明の斜視対物光学系によれば、多画素化と小型化がされた撮像素子に最適な高性能で小型な斜視対物光学系を提供することができる。更に、本発明の斜視対物光学系を用いることにより、高画質の画像が得られると共に、細径化された先端部を有する斜視用内視鏡を提供することができる。
【０３５２】
以上、本発明の種々の実施形態について説明したが、本発明は、これらの実施形態のみに限られるものではなく、その趣旨を逸脱しない範囲で、これら実施形態の構成を適宜組合せて構成した実施形態も本発明の範疇となるものである。
【０３５３】
（付記）
なお、これらの実施例から以下の構成の発明が導かれる。
（付記項１）
物体側から順に、負の屈折力を有する前側レンズ群と、光路変換素子と、明るさ絞りと、正の屈折力を有する後側レンズ群と、からなり、
前側レンズ群は前側負レンズからなり、
後側レンズ群は、後側正レンズと、正の屈折力を有する接合レンズと、からなり、
以下の条件式（１）を満足することを特徴とする斜視対物光学系。
４．０＜ｆ２／ｆ＜１２．０      （１）
ここで、
ｆ２は、後側正レンズの焦点距離、
ｆは、斜視対物光学系全系の焦点距離、
である。
【０３５４】
（付記項２）
以下の条件式（２）を満足することを特徴とする付記項１に記載の斜視対物光学系。
０．４＜ｆ３／ｆ２＜１．５      （２）
ここで、
ｆ２は、後側正レンズの焦点距離、
ｆ３は、接合レンズの焦点距離、
である。
【０３５５】
（付記項３）
以下の条件式（３）を満足することを特徴とする付記項１又は付記項２に記載の斜視対物光学系。
２．３＜ｆＲ／ｆ＜３．８      （３）
ここで、
ｆＲは、後側レンズ群の焦点距離、
ｆは、斜視対物光学系全系の焦点距離、
である。
【０３５６】
（付記項４）
以下の条件式（４）を満足することを特徴とする付記項１乃至付記項３のいずれか一項に記載の斜視対物光学系。
−２．８＜ｆＦ／ｆ＜−１．５      （４）
ここで、
ｆＦは、前側レンズ群の焦点距離、
ｆは、斜視対物光学系全系の焦点距離、
である。
【０３５７】
（付記項５）
以下の条件式（５）を満足することを特徴とする付記項１乃至付記項４のいずれか一項に記載の斜視対物光学系。
４．０＜ｆ３／ｆ＜８．０      （５）
ここで、
ｆ３は、接合レンズの焦点距離、
ｆは、斜視対物光学系全系の焦点距離、
である。
【０３５８】
（付記項６）
以下の条件式（６）を満足することを特徴とする付記項１乃至付記項５のいずれか一項に記載の斜視対物光学系。
３．５＜Ｄ１／ｆ＜８．０      （６）
ここで、
Ｄ１は、前側負レンズの像側面から明るさ絞りまでの空気換算長、
ｆは、斜視対物光学系全系の焦点距離、
である。
【０３５９】
（付記項７）
以下の条件式（７）を満足することを特徴とする付記項１乃至付記項６のいずれか一項に記載の斜視対物光学系。
１．５＜Ｄ２／ｆ＜２．５      （７）
ここで、
Ｄ２は、後側レンズ群の最終レンズの像側面から像面までの空気換算長、
ｆは、斜視対物光学系全系の焦点距離、
である。
【０３６０】
（付記項８）
以下の条件式（８）を満足することを特徴とする付記項１乃至付記項７のいずれか一項に記載の斜視対物光学系。
−０．９＜ｆＦ／ｆＲ＜−０．５      （８）
ここで、
ｆＦは、前側レンズ群の焦点距離、
ｆＲは、後側レンズ群の焦点距離、
である。
【０３６１】
（付記項９）
後側正レンズは、像側に曲率半径の小さい面を向けており、
接合レンズは、物体側に曲率半径の小さい面を向けており、
以下の条件式（９）を満足することを特徴とする付記項１乃至付記項８のいずれか一項に記載の斜視対物光学系。
０．４＜｜Ｒ３／Ｒ２｜＜０．８５      （９）
ここで、
Ｒ２は、後側正レンズの像側面の曲率半径、
Ｒ３は、接合レンズの物体側面の曲率半径、
である。
【０３６２】
（付記項１０）
付記項１乃至付記項９のいずれか一項に記載の斜視対物光学系を備えることを特徴とする斜視用内視鏡。
【産業上の利用可能性】
【０３６３】
以上のように、本発明は、高性能で小型な斜視対物光学系に有用である。また、高画質の画像が得られると共に、細径化された先端部を有する斜視用内視鏡に有用である。
【符号の説明】
【０３６４】
ＧＦ  前側レンズ群
ＧＲ  後側レンズ群
Ｌ１、Ｌ２、Ｌ３、Ｌ４  レンズ
ＣＬ  接合レンズ
Ｓ  明るさ絞り
Ｐ  プリズム（光路変換素子）
Ｆ１、Ｆ２、Ｆ３  フィルタ
ＣＧ  カバーガラス
ＧＬ  ガラスリッド
Ｉ  像面
ＩＤ  撮像素子
１、５  斜視対物光学系
２、６  前側レンズ群
３、７  プリズム
４、８  後側レンズ群
２０  内視鏡装置
２１  斜視用内視鏡
２１ａ  挿入部
２１ｂ  信号ケーブル
２２  ビデオプロセッサ
２３  モニタ
２４  斜視対物光学系
２５  被写体
２６  被写体の画像
【図１】
2019008024.tif 000003
【図２】
2019008024.tif 000004
【図３】
2019008024.tif 000005
【図４】
2019008024.tif 000006
【図５】
2019008024.tif 000007
【図６】
2019008024.tif 000008
【図７】
2019008024.tif 000009
【図８】
2019008024.tif 000010
【図９】
2019008024.tif 000011
【図１０】
2019008024.tif 000012
【図１１】
2019008024.tif 000013
【図１２】
2019008024.tif 000014
【図１３】
2019008024.tif 000015
【図１４】
2019008024.tif 000016
【図１５】
2019008024.tif 000017
【図１６】
2019008024.tif 000018
【図１７】
2019008024.tif 000019
【図１８】
2019008024.tif 000020
【図１９】
2019008024.tif 000021
【図２０】
2019008024.tif 000022
【図２１】
2019008024.tif 000023
【図２２】
2019008024.tif 000024
【図２３】
2019008024.tif 000025
【図２４】
2019008024.tif 000026